(57)【要約】  本発明は、充電制御方法及び装置、コンピューター記憶媒体を提供する。充電制御方法は、被充電機器に適用され、被充電機器内のバッテリーは複数のセルを含む。被充電機器の充電過程において、被充電機器内のバッテリーに対してＫ段階の定電流充電を行う。Ｋは１以上の正整数である。Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電する。Ｋ段階の定電流充電における各々の定電流充電段階で、バッテリーに印加された充電電圧と複数のセルのそれぞれの両端の電圧を検出する。充電電圧及び/又は複数のセルのいずれかの両端の電圧が、この定電流充電段階に対応するプリセット電圧より高い場合、被充電機器が次の定電流充電段階に進むように制御する。
2022500990.tif 000002
【特許請求の範囲】
【請求項１】
被充電機器に適用される充電制御方法であって、前記被充電機器内のバッテリーは複数のセルを含み、前記充電制御方法は、
前記被充電機器の充電過程において、前記被充電機器内のバッテリーに対してＫ段階の定電流充電を行うことと、Ｋは１以上の正整数であり、
前記Ｋ段階の定電流充電における各々の定電流充電段階では、前記バッテリーの電圧がこの定電流充電段階に対応するプリセット電圧に達するまで、この定電流充電段階に対応するプリセット電流で前記バッテリーに対して定電流充電することと、第Ｋ番目の定電流充電段階に対応するプリセット電圧は充電カットオフ電圧であり、前記充電カットオフ電圧はバッテリーの定格電圧よりも高く、
前記Ｋ段階の定電流充電における各々の定電流充電段階で、前記バッテリーに印加された充電電圧と複数のセルのそれぞれの両端の電圧を検出することと、
前記充電電圧及び/又は複数のセルのいずれかの両端の電圧が、この定電流充電段階に対応するプリセット電圧より高い場合、前記被充電機器が次の定電流充電段階に進むように制御することと、
を含む、
ことを特徴とする充電制御方法。
【請求項２】
前記Ｋ段階の定電流充電における各々の定電流充電段階では、前記バッテリーの電圧がこの定電流充電段階に対応するプリセット電圧に達するまで、この定電流充電段階に対応するプリセット電流で前記バッテリーに対して定電流充電することは、
前の（Ｋ−１）段階のうちの第ｉ番目の定電流充電段階では、前記バッテリーの電圧が第ｉプリセット電圧に達するまで、第ｉプリセット電流で前記バッテリーに対して定電流充電することと、
第Ｋ番目の定電流充電段階では、前記バッテリーの電圧が第Ｋプリセット電圧に達するまで、第Ｋプリセット電流で前記バッテリーに対して定電流充電することと、
を含み、
ｉは１以上且つ（Ｋ−１）以下の正整数であり、第（ｉ＋１）プリセット電流は前記第ｉプリセット電流より小さく、前記第Ｋプリセット電流は第（Ｋ−１）プリセット電流より小さく、前記第Ｋプリセット電圧は充電カットオフ電圧である、
ことを特徴とする請求項１に記載の方法。
【請求項３】
第ｉ番目の定電流充電段階では、前記充電電圧及び/又は複数のセルのいずれかの両端の電圧がこの定電流充電段階に対応するプリセット電圧より高い場合、前記被充電機器が次の定電流充電段階に進むように制御することは、
検出された前記バッテリーの充電電圧に基づいて、前記充電電圧が第ｉプリセット電圧より高いか否かを判断することと、ここで、前記第ｉプリセット電圧は第ｉ番目の定電流充電段階の前記バッテリーのプリセット閾値電圧を表し、
検出された複数のセルのそれぞれの両端の電圧に基づいて、いずれか１つのセルの両端の電圧が第ｉプリセットセル電圧より高いか否かを判断することと、ここで、第ｉプリセットセル電圧は第ｉ番目の定電流充電段階の単一セルのプリセット閾値電圧を表し、
前記充電電圧が第ｉプリセット電圧より高い場合及び/又は複数のセルのいずれかの両端の電圧が第ｉプリセットセル電圧より高い場合、前記被充電機器が第（ｉ＋１）番目の定電流充電段階に進むように制御して、第ｉ番目の定電流充電段階で検出された複数のセルのそれぞれの両端の電圧が第ｉプリセットセル電圧を超えないようにすることと、
を含む、
ことを特徴とする請求項２に記載の方法。
【請求項４】
前記被充電機器が次の定電流充電段階に進むように制御した後、前記方法は、さらに、
第Ｋ番目の定電流充電段階では、前記バッテリーの充電電圧が充電カットオフ電圧より高いことが検出された場合及び/又は複数のセルのいずれかの両端の電圧が第Ｋプリセットセル電圧より高いことが検出された場合、前記バッテリーの充電を終了するか、又は前記充電カットオフ電圧を前記バッテリーに印加して定電圧充電すること、を含む、
ことを特徴とする請求項１に記載の方法。
【請求項５】
第ｉ番目の定電流充電段階では、前記バッテリーの電圧が第ｉプリセット電圧に達するまで、第ｉプリセット電流で前記バッテリーに対して定電流充電することは、
前記複数のセルの構造を判断することと、
前記複数のセルが直列に接続されている場合、第ｉ番目の定電流充電段階では、前記バッテリーの電圧が第ｉプリセットセル電圧のＮ倍に達するまで、第ｉプリセット電流で前記バッテリーに対して定電流充電することと、Ｎは前記複数のセルのセル数を表し、且つＮは１より大きい正整数であり、
前記複数のセルが並列に接続されている場合、第ｉ番目の定電流充電段階では、前記バッテリーの電圧が第ｉプリセットセル電圧に達するまで、第ｉプリセット電流で前記バッテリーに対して定電流充電することと、
を含む、
ことを特徴とする請求項２に記載の方法。
【請求項６】
前記複数のセルが直列に接続されている場合、第ｉ番目の定電流充電段階では、前記バッテリーの電圧が第ｉプリセットセル電圧のＮ倍に達するまで、第ｉプリセット電流で前記バッテリーに対して定電流充電してから、前記方法は、さらに、
前記第ｉプリセットセル電圧のＮ倍を前記バッテリーに印加して定電圧充電することと、
前記バッテリーの充電電流が第（ｉ＋１）プリセット電流と等しいこと及び/又は複数のセルのいずれかの両端の電圧が第ｉプリセットセル電圧より高いことが検出されると、前記被充電機器が第（ｉ＋１）番目の定電流充電段階に進むように制御して、第（ｉ＋１）プリセット電流で前記バッテリーに対して定電流充電することと、
を含む、
ことを特徴とする請求項５に記載の方法。
【請求項７】
前記複数のセルが並列に接続されている場合、第ｉ番目の定電流充電段階では、前記バッテリーの電圧が第ｉプリセットセル電圧に達するまで、第ｉプリセット電流で前記バッテリーに対して定電流充電してから、前記方法は、さらに
前記第ｉプリセットセル電圧を前記バッテリーに印加して定電圧充電することと、
前記バッテリーの充電電流が前記第（ｉ＋１）プリセット電流と等しいこと及び/又は複数のセルのいずれかの両端の電圧が第ｉプリセットセル電圧より高いことが検出されると、前記被充電機器が第（ｉ＋１）番目の定電流充電段階に進むように制御して、前記第（ｉ＋１）プリセット電流で前記バッテリーに対して定電流充電することと、
を含む、
ことを特徴とする請求項５に記載の方法。
【請求項８】
前記複数のセルが直列に接続されている場合、前記方法は、前記第Ｋ番目の定電流充電段階では、前記バッテリーの充電電圧が第Ｋプリセットセル電圧のＮ倍と等しいことが検出されると、前記バッテリの充電を終了することをさらに含み、前記第Ｋプリセットセル電圧のＮ倍は、充電カットオフ電圧である、
ことを特徴とする請求項５に記載の方法。
【請求項９】
前記複数のセルが直列に接続されている場合、前記方法は、
前記第Ｋ番目の定電流充電段階では、前記バッテリーの充電電圧が第Ｋプリセットセル電圧のＮ倍と等しいことが検出されると、前記第Ｋプリセットセル電圧のＮ倍前記バッテリーに印加して定電圧充電することと、
前記第Ｋ番目の定電流充電段階では、前記バッテリーの充電電流が充電カットオフ電流より小さいことが検出されると、前記バッテリーの充電を終了することと、
をさらに含む、
ことを特徴とする請求項５に記載の方法。
【請求項１０】
前記複数のセルが並列に接続されている場合、前記方法は、前記第Ｋ番目の定電流充電段階では、前記バッテリーの充電電圧が第Ｋプリセットセル電圧と等しいことが検出されると、前記バッテリーの充電を終了することをさらに含み、前記第Ｋプリセットセル電圧は、充電カットオフ電圧である、
ことを特徴とする請求項５に記載の方法。
【請求項１１】
前記複数のセルが並列に接続されている場合、前記方法は、
前記第Ｋ番目の定電流充電段階では、前記バッテリーの充電電圧が第Ｋプリセットセル電圧と等しいことが検出されると、前記第Ｋプリセットセル電圧を前記バッテリーに印加して定電圧充電することと、
前記第Ｋ番目の定電流充電段階では、前記バッテリーの充電電流が充電カットオフ電流よりも小さいことが検出されると、前記バッテリーの充電を終了することと、
をさらに含む、
ことを特徴とする請求項５に記載の方法。
【請求項１２】
前記第ｉプリセットセル電圧は単一セルの定格電圧より高い、
ことを特徴とする請求項１〜１１のいずれか一項に記載の方法。
【請求項１３】
前記被充電機器の充電モードは無線充電モード及び有線充電モードを含み、前記充電制御方法は、充電モードを選択することによって、前記無線充電モード又は前記有線充電モードで前記バッテリーを充電するように、前記被充電機器を制御することをさらに含む。
ことを特徴とする請求項１〜１２のいずれか一項に記載の方法。
【請求項１４】
被充電機器に適用可能である充電制御装置であって、前記被充電機器内のバッテリーは複数のセルを含み、前記充電制御装置は、充電ユニット、検出ユニット及び制御ユニットを含み、
前記充電ユニットは、前記被充電機器の充電過程において、前記被充電機器内のバッテリーに対してＫ段階の定電流充電を行うために用いられ、Ｋは１以上の正整数であり、
前記充電ユニットは、前記Ｋ段階の定電流充電における各々の定電流充電段階では、前記バッテリーの電圧がこの定電流充電段階に対応するプリセット電圧に達するまで、この定電流充電段階に対応するプリセット電流で前記バッテリーに対して定電流充電するために用いられ、前記第Ｋ番目の定電流充電段階に対応するプリセット電圧は充電カットオフ電圧であり、前記充電カットオフ電圧は前記バッテリーの定格電圧よりも高く、
前記検出ユニットは、前記Ｋ段階の定電流充電における各々の定電流充電段階で、前記バッテリーに印加された充電電圧と複数のセルのそれぞれの両端の電圧を検出するために用いられ、
前記制御ユニットは、前記充電電圧及び/又は複数のセルのいずれかの両端の電圧が、この定電流充電段階に対応するプリセット電圧より高い場合、前記被充電機器が次の定電流充電段階に進むように制御するために用いられる、
ことを特徴とする充電制御装置。
【請求項１５】
前記充電ユニットは、具体的に、前の（Ｋ−１）段階のうちの第ｉ番目の定電流充電段階では、前記バッテリーの電圧が第ｉプリセット電圧に達するまで、第ｉプリセット電流で前記バッテリーに対して定電流充電するために用いられ、ｉは１以上且つ（Ｋ−１）以下の正整数であり、第（ｉ＋１）プリセット電流は前記第ｉプリセット電流より小さく、
前記充電ユニットは、さらに、第Ｋ番目の定電流充電段階では、前記バッテリーの電圧が第Ｋプリセット電圧に達するまで、第Ｋプリセット電流で前記バッテリーに対して定電流充電するために用いられ、前記第Ｋプリセット電流は第（Ｋ−１）プリセット電流より小さく、前記第Ｋプリセット電圧は充電カットオフ電圧である、
ことを特徴とする請求項１４に記載の充電制御装置。
【請求項１６】
第ｉ番目の定電流充電段階では、前記制御ユニットは、具体的に、
検出された前記バッテリーの充電電圧に基づいて、前記充電電圧が第ｉプリセット電圧より高いか否かを判断し、ここで、第ｉプリセット電圧は第ｉ番目の定電流充電段階の前記バッテリーのプリセット閾値電圧を表し、
検出された複数のセルのそれぞれの両端の電圧に基づいて、いずれか１つのセルの両端の電圧が第ｉプリセットセル電圧より高いか否かを判断し、ここで、前記第ｉプリセットセル電圧は第ｉ番目の定電流充電段階の単一セルのプリセット閾値電圧を表し、
前記充電電圧が第ｉプリセット電圧より高い場合及び/又は複数のセルのいずれかの両端の電圧が第ｉプリセットセル電圧より高い場合、前記被充電機器が第（ｉ＋１）番目の定電流充電段階に進むように制御して、第ｉ番目の定電流充電段階で検出された複数のセルのそれぞれの両端の電圧が第ｉプリセットセル電圧を超えないようにするために用いられる、
ことを特徴とする請求項１５に記載の充電制御装置。
【請求項１７】
第Ｋ番目の定電流充電段階では、前記検出ユニットによって前記バッテリーの充電電圧が充電カットオフ電圧より高いことが検出された場合及び/又は複数のセルのいずれかの両端の電圧が第Ｋプリセットセル電圧より高いことが検出された場合、前記制御ユニットは、さらに、前記バッテリーの充電を終了するか、又は前記充電カットオフ電圧を前記バッテリーに印加して定電圧充電するために用いられる、
ことを特徴とする請求項１４に記載の充電制御装置。
【請求項１８】
前記制御ユニットは、さらに前記複数のセルの構造を判断するために用いられる。
前記充電ユニットは、具体的に、前記複数のセルが直列に接続されている場合、第ｉ番目の定電流充電段階では、前記バッテリーの電圧が第ｉプリセットセル電圧のＮ倍に達するまで、第ｉプリセット電流で前記バッテリーに対して定電流充電するために用いられ、Ｎは複数のセルのセル数を表し、且つＮは１より大きい正整数であり、
前記充電ユニット１は、さらに、前記複数のセルが並列に接続されている場合、第ｉ番目の定電流充電段階では、前記バッテリーの電圧が第ｉプリセットセル電圧に達するまで、第ｉプリセット電流で前記バッテリーに対して定電流充電するために用いられる
ことを特徴とする請求項１５に記載の充電制御装置。
【請求項１９】
前記複数のセルが直列に接続されている場合、
前記充電ユニットは、さらに、第ｉプリセットセル電圧のＮ倍を前記バッテリーに印加して定電圧充電するために用いられ、
前記制御ユニットは、さらに、前記バッテリーの充電電流が第（ｉ＋１）プリセット電流と等しいこと及び/又は複数のセルのいずれかの両端の電圧が第ｉプリセットセル電圧より高いことが検出されると、前記被充電機器が第（ｉ＋１）番目の定電流充電段階に進むように制御して、前記第（ｉ＋１）プリセット電流で前記バッテリーに対して定電流充電するようにするために用いられる、
ことを特徴とする請求項１８に記載の充電制御装置。
【請求項２０】
前記複数のセルが並列に接続されている場合、
前記充電ユニットは、さらに、第ｉプリセットセル電圧を前記バッテリーに印加して定電圧充電するために用いられ、
前記制御ユニットは、さらに、前記バッテリーの充電電流が第（ｉ＋１）プリセット電流と等しいこと及び/又は複数のセルのいずれかの両端の電圧が第ｉプリセットセル電圧より高いことが検出されると、前記被充電機器が第（ｉ＋１）番目の定電流充電段階に進むように制御して、前記第（ｉ＋１）プリセット電流で前記バッテリーに対して定電流充電するようにするために用いられる
ことを特徴とする請求項１８に記載の充電制御装置。
【請求項２１】
前記複数のセルが直列に接続されている場合、
前記制御ユニットは、さらに、前記バッテリーの充電電圧が第Ｋプリセットセル電圧のＮ倍と等しいことが検出されると、前記バッテリの充電を終了するために用いられ、前記第Ｋプリセットセル電圧のＮ倍は、充電カットオフ電圧である、
ことを特徴とする請求項１８に記載の充電制御装置。
【請求項２２】
前記複数のセルが直列に接続されている場合、
前記充電ユニットは、さらに、前記バッテリーの充電電圧が第Ｋプリセットセル電圧のＮ倍と等しいことが検出されると、第Ｋプリセットセル電圧のＮ倍を前記バッテリーに印加して定電圧充電するために用いられ、
前記制御ユニットは、さらに、前記バッテリーの充電電流が充電カットオフ電流より小さいことが検出されると、前記バッテリーの充電を終了するために用いられる、
ことを特徴とする請求項１８に記載の充電制御装置。
【請求項２３】
前記複数のセルが並列に接続されている場合、
前記制御ユニットは、さらに、前記バッテリーの充電電圧が第Ｋプリセットセル電圧と等しいことが検出されると、前記バッテリーの充電を終了するために用いられ、前記第Ｋプリセットセル電圧は充電カットオフ電圧である、
ことを特徴とする請求項１８に記載の充電制御装置。
【請求項２４】
前記複数のセルが並列に接続されている場合、
前記充電ユニットは、さらに、前記バッテリーの充電電圧が第Ｋプリセットセル電圧と等しいことが検出されると、第Ｋプリセットセル電圧を前記バッテリーに印加して定電圧充電するために用いられ、
前記制御ユニットは、さらに、前記バッテリーの充電電流が充電カットオフ電流よりも小さいことが検出されると、前記バッテリーの充電を終了するために用いられる、
ことを特徴とする請求項１８に記載の充電制御装置。
【請求項２５】
前記第ｉプリセットセル電圧は単一セルの定格電圧より高い、
ことを特徴とする請求項１４〜２４のいずれか一項に記載の充電制御装置。
【請求項２６】
前記被充電機器の充電モードは、無線充電モード及び有線充電モードを含み、前記制御ユニットは、さらに、前記充電モードを選択することによって、前記無線充電モード又は前記有線充電モードで前記バッテリーを充電するように、前記被充電機器を制御するために用いられる、
ことを特徴とする請求項１４〜２５のいずれか一項に記載の充電制御装置。
【請求項２７】
充電制御装置であって、
モリ及びプロセッサを含み、前記メモリには前記プロセッサで実行可能なコンピュータプログラムが格納されており、前記コンピュータプログラムが前記プロセッサによって実行されると、請求項１〜１３のいずれか一項に記載の充電制御方法を実行する、
ことを特徴とする充電制御装置。
【請求項２８】
充電制御プログラムが格納されたコンピュータ記憶媒体であって、
前記充電制御プログラムが少なくとも１つのプロセッサによって実行されると、請求項１〜１３のいずれか一項に記載の充電制御方法を実行する
ことを特徴とするコンピュータ記憶媒体。
【請求項２９】
少なくとも請求項１４〜２７のいずれか一項に記載の充電制御装置を含むことを特徴とする被充電機器。
【発明の詳細な説明】
【技術分野】
【０００１】
本出願の実施形態は、充電技術分野に関し、さらに具体的に、充電制御方法及び装置、コンピューター記憶媒体に関する。
【背景技術】
【０００２】
現在、電子装置の充電手順は、トリクル充電段階、定電流充電段階及び定電圧充電段階に分けることができる。既存の充電手順によれば、システムによってバッテリーの電圧が定電流充電に対応する閾値電圧に達したことを検出した後、充電手順は定電圧充電に進み、且つ充電カットオフ条件を満たして充電を終了するまで、定電圧充電を維持する。定電圧充電過程全体における充電電圧は、バッテリーの定格電圧を超えない。このように、定電流充電時間は短いので、定電圧充電時間は長く、充電時間全体が長すぎて、時間を浪費し、且つ充電速度が低下する。
【発明の概要】
【０００３】
これを考慮して、本出願の実施形態は、充電制御方法及び装置、コンピューター記憶媒体を提供し、マルチセル構造のバッテリーシナリオでは、多段定電流充電を使用して定電流充電時間をできるだけ延長することにより、充電時間全体を短縮し、充電速度を向上させる。
【０００４】
第一態様において、充電制御方法が提供される。充電制御方法は、被充電機器に適用され、被充電機器内のバッテリーは複数のセルを含む。充電制御方法は、
被充電機器の充電過程において、被充電機器内のバッテリーに対してＫ段階の定電流充電を行うことと、Ｋは１以上の正整数であり、
Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電することと、第Ｋ番目の定電流充電段階に対応するプリセット電圧は充電カットオフ電圧であり、充電カットオフ電圧はバッテリーの定格電圧よりも高く、
Ｋ段階の定電流充電における各々の定電流充電段階で、バッテリーに印加された充電電圧と複数のセルのそれぞれの両端の電圧を検出することと、
充電電圧及び/又は複数のセルのいずれかの両端の電圧が、この定電流充電段階に対応するプリセット電圧より高い場合、被充電機器が次の定電流充電段階に進むように制御することと、
を含む。  
【０００５】
上述した方案において、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電することは、
前の（Ｋ−１）段階のうちの第ｉ番目の定電流充電段階では、バッテリーの電圧が第ｉプリセット電圧に達するまで、第ｉプリセット電流でバッテリーに対して定電流充電することと、
第Ｋ番目の定電流充電段階では、バッテリーの電圧が第Ｋプリセット電圧に達するまで、第Ｋプリセット電流でバッテリーに対して定電流充電することと、
を含み、
ｉは１以上且つ（Ｋ−１）以下の正整数であり、第（ｉ＋１）プリセット電流は第ｉプリセット電流より小さく、第Ｋプリセット電流は第（Ｋ−１）プリセット電流より小さく、第Ｋプリセット電圧は充電カットオフ電圧である。
【０００６】
上述した方案において、第ｉ番目の定電流充電段階では、充電電圧及び/又は複数のセルのいずれかの両端の電圧がこの定電流充電段階に対応するプリセット電圧より高い場合、被充電機器が次の定電流充電段階に進むように制御することは、
検出されたバッテリーの充電電圧に基づいて、充電電圧が第ｉプリセット電圧より高いか否かを判断することと、ここで、第ｉプリセット電圧は第ｉ番目の定電流充電段階のバッテリーのプリセット閾値電圧を表し、
検出された複数のセルのそれぞれの両端の電圧に基づいて、いずれか１つのセルの両端の電圧が第ｉプリセットセル電圧より高いか否かを判断することと、ここで、第ｉプリセットセル電圧は第ｉ番目の定電流充電段階の単一セルのプリセット閾値電圧を表し、
充電電圧が第ｉプリセット電圧より高い場合及び/又は複数のセルのいずれかの両端の電圧が第ｉプリセットセル電圧より高い場合、被充電機器が第（ｉ＋１）番目の定電流充電段階に進むように制御して、第ｉ番目の定電流充電段階で検出された複数のセルのそれぞれの両端の電圧が第ｉプリセットセル電圧を超えないようにすることと、
を含む。
【０００７】
上述した方案において、被充電機器が次の定電流充電段階に進むように制御した後、充電制御方法は、さらに、
第Ｋ番目の定電流充電段階では、バッテリーの充電電圧が充電カットオフ電圧より高いことが検出された場合及び/又は複数のセルのいずれかの両端の電圧が第Ｋプリセットセル電圧より高いことが検出された場合、バッテリーの充電を終了するか、又は充電カットオフ電圧をバッテリーに印加して定電圧充電すること、を含む。
【０００８】
上述した方案において、第ｉ番目の定電流充電段階では、バッテリーの電圧が第ｉプリセット電圧に達するまで、第ｉプリセット電流でバッテリーに対して定電流充電することは、
複数のセルの構造を判断することと、
複数のセルが直列に接続されている場合、第ｉ番目の定電流充電段階では、バッテリーの電圧が第ｉプリセットセル電圧のＮ倍に達するまで、第ｉプリセット電流でバッテリーに対して定電流充電することと、Ｎは複数のセルのセル数を表し、且つＮは１より大きい正整数であり、
複数のセルが並列に接続されている場合、第ｉ番目の定電流充電段階では、バッテリーの電圧が第ｉプリセットセル電圧に達するまで、第ｉプリセット電流でバッテリーに対して定電流充電することと、
を含む。
【０００９】
上述した方案において、複数のセルが直列に接続されている場合、第ｉ番目の定電流充電段階では、バッテリーの電圧が第ｉプリセットセル電圧のＮ倍に達するまで、第ｉプリセット電流でバッテリーに対して定電流充電してから、充電制御方法は、さらに、
第ｉプリセットセル電圧のＮ倍をバッテリーに印加して定電圧充電することと、
バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御して、第（ｉ＋１）プリセット電流でバッテリーに対して定電流充電することと、
を含む。
【００１０】
上述した方案において、複数のセルが並列に接続されている場合、第ｉ番目の定電流充電段階では、バッテリーの電圧が第ｉプリセットセル電圧に達するまで、第ｉプリセット電流でバッテリーに対して定電流充電してから、充電制御方法は、さらに、
第ｉプリセットセル電圧をバッテリーに印加して定電圧充電することと、
バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御して、第（ｉ＋１）プリセット電流でバッテリーに対して定電流充電することと、
を含む。
【００１１】
上述した方案において、複数のセルが直列に接続されている場合、第Ｋ番目の定電流充電段階では、充電制御方法は、バッテリーの充電電圧が第Ｋプリセットセル電圧のＮ倍と等しいことが検出されると、バッテリの充電を終了することをさらに含む。第Ｋプリセットセル電圧のＮ倍は、充電カットオフ電圧である。
【００１２】
上述した方案において、複数のセルが直列に接続されている場合、充電制御方法は、
第Ｋ番目の定電流充電段階では、バッテリーの充電電圧が第Ｋプリセットセル電圧のＮ倍と等しいことが検出されると、第Ｋプリセットセル電圧のＮ倍をバッテリーに印加して定電圧充電することと、
第Ｋ番目の定電流充電段階では、バッテリーの充電電流が充電カットオフ電流より小さいことが検出されると、バッテリーの充電を終了することと、
をさらに含む。
【００１３】
上述した方案において、複数のセルが並列に接続されている場合、充電制御方法は、第Ｋ番目の定電流充電段階では、バッテリーの充電電圧が第Ｋプリセットセル電圧と等しいことが検出されると、バッテリーの充電を終了することをさらに含む。ここで、第Ｋプリセットセル電圧は、充電カットオフ電圧である。
【００１４】
上述した方案において、複数のセルが並列に接続されている場合、充電制御方法は、
第Ｋ番目の定電流充電段階では、バッテリーの充電電圧が第Ｋプリセットセル電圧と等しいことが検出されると、第Ｋプリセットセル電圧をバッテリーに印加して定電圧充電することと、
第Ｋ番目の定電流充電段階では、バッテリーの充電電流が充電カットオフ電流よりも小さいことが検出されると、バッテリーの充電を終了することと、
をさらに含む。
【００１５】
上述した方案において、第ｉプリセットセル電圧は単一セルの定格電圧より高い。
【００１６】
上述した方案において、被充電機器の充電モードは無線充電モード及び有線充電モードを含み、充電制御方法は、充電モードを選択することによって、無線充電モード又は有線充電モードでバッテリーを充電するように、被充電機器を制御することをさらに含む。
【００１７】
第二態様において、充電制御装置が提供される。充電制御装置は、被充電機器に適用可能であり、被充電機器内のバッテリーは複数のセルを含む。充電制御装置は、充電ユニット、検出ユニット及び制御ユニットを含む。
充電ユニットは、被充電機器の充電過程において、被充電機器内のバッテリーに対してＫ段階の定電流充電を行うために用いられ、Ｋは１以上の正整数であり、
充電ユニットは、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電するために用いられ、第Ｋ番目の定電流充電段階に対応するプリセット電圧は充電カットオフ電圧であり、充電カットオフ電圧はバッテリーの定格電圧よりも高く、
検出ユニットは、Ｋ段階の定電流充電における各々の定電流充電段階で、バッテリーに印加された充電電圧と複数のセルのそれぞれの両端の電圧を検出するために用いられ、
制御ユニットは、充電電圧及び/又は複数のセルのいずれかの両端の電圧が、この定電流充電段階に対応するプリセット電圧より高い場合、被充電機器が次の定電流充電段階に進むように制御するために用いられる。
【００１８】
上述した方案において、充電ユニットは、具体的に、前の（Ｋ−１）段階のうちの第ｉ番目の定電流充電段階では、バッテリーの電圧が第ｉプリセット電圧に達するまで、第ｉプリセット電流でバッテリーに対して定電流充電するために用いられ、ｉは１以上且つ（Ｋ−１）以下の正整数であり、第（ｉ＋１）プリセット電流は第ｉプリセット電流より小さい。充電ユニットは、さらに、第Ｋ番目の定電流充電段階では、バッテリーの電圧が第Ｋプリセット電圧に達するまで、第Ｋプリセット電流でバッテリーに対して定電流充電するために用いられ、第Ｋプリセット電流は第（Ｋ−１）プリセット電流より小さく、第Ｋプリセット電圧は充電カットオフ電圧である。
【００１９】
上述した方案において、第ｉ番目の定電流充電段階では、制御ユニットは、具体的に、検出されたバッテリーの充電電圧に基づいて、充電電圧が第ｉプリセット電圧より高いか否かを判断し、ここで、第ｉプリセット電圧は第ｉ番目の定電流充電段階のバッテリーのプリセット閾値電圧を表し、検出された複数のセルのそれぞれの両端の電圧に基づいて、いずれか１つのセルの両端の電圧が第ｉプリセットセル電圧より高いか否かを判断し、ここで、第ｉプリセットセル電圧は第ｉ番目の定電流充電段階の単一セルのプリセット閾値電圧を表し、充電電圧が第ｉプリセット電圧より高い場合及び/又は複数のセルのいずれかの両端の電圧が第ｉプリセットセル電圧より高い場合、被充電機器が第（ｉ＋１）番目の定電流充電段階に進むように制御して、第ｉ番目の定電流充電段階で検出された複数のセルのそれぞれの両端の電圧が第ｉプリセットセル電圧を超えないようにするために用いられる。
【００２０】
上述した方案において、第Ｋ番目の定電流充電段階では、検出ユニットによってバッテリーの充電電圧が充電カットオフ電圧より高いことが検出された場合及び/又は複数のセルのいずれかの両端の電圧が第Ｋプリセットセル電圧より高いことが検出された場合、制御ユニットは、さらに、バッテリーの充電を終了するか、又は充電カットオフ電圧をバッテリーに印加して定電圧充電するために用いられる。
【００２１】
上述した方案において、制御ユニットは、さらに複数のセルの構造を判断するために用いられる。
充電ユニットは、具体的に、複数のセルが直列に接続されている場合、第ｉ番目の定電流充電段階では、バッテリーの電圧が第ｉプリセットセル電圧のＮ倍に達するまで、第ｉプリセット電流でバッテリーに対して定電流充電するために用いられ、Ｎは複数のセルのセル数を表し、且つＮは１より大きい正整数である。充電ユニット１は、さらに、複数のセルが並列に接続されている場合、第ｉ番目の定電流充電段階では、バッテリーの電圧が第ｉプリセットセル電圧に達するまで、第ｉプリセット電流でバッテリーに対して定電流充電するために用いられる。
【００２２】
上述した方案において、複数のセルが直列に接続されている場合、充電ユニットは、さらに、第ｉプリセットセル電圧のＮ倍をバッテリーに印加して定電圧充電するために用いられ、
制御ユニットは、さらに、バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御して、第（ｉ＋１）プリセット電流でバッテリーに対して定電流充電するようにするために用いられる。
【００２３】
上述した方案において、複数のセルが並列に接続されている場合、充電ユニットは、さらに、第ｉプリセットセル電圧をバッテリーに印加して定電圧充電するために用いられ、
制御ユニットは、さらに、バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御して、第（ｉ＋１）プリセット電流でバッテリーに対して定電流充電するために用いられる。
【００２４】
上述した方案において、複数のセルが直列に接続されている場合、制御ユニットは、さらに、バッテリーの充電電圧が第Ｋプリセットセル電圧のＮ倍と等しいことが検出されると、バッテリの充電を終了するために用いられ、第Ｋプリセットセル電圧のＮ倍は、充電カットオフ電圧である。
【００２５】
上述した方案において、複数のセルが直列に接続されている場合、充電ユニットは、さらに、バッテリーの充電電圧が第Ｋプリセットセル電圧のＮ倍と等しいことが検出されると、第Ｋプリセットセル電圧のＮ倍をバッテリーに印加して定電圧充電するために用いられ、
制御ユニットは、さらに、バッテリーの充電電流が充電カットオフ電流より小さいことが検出されると、バッテリーの充電を終了するために用いられる。
【００２６】
上述した方案において、複数のセルが並列に接続されている場合、制御ユニットは、さらに、バッテリーの充電電圧が第Ｋプリセットセル電圧と等しいことが検出されると、バッテリーの充電を終了するために用いられ、第Ｋプリセットセル電圧は充電カットオフ電圧である。
【００２７】
上述した方案において、複数のセルが並列に接続されている場合、充電ユニットは、さらに、バッテリーの充電電圧が第Ｋプリセットセル電圧と等しいことが検出されると、第Ｋプリセットセル電圧をバッテリーに印加して定電圧充電するために用いられ、
制御ユニットは、さらに、バッテリーの充電電流が充電カットオフ電流よりも小さいことが検出されると、バッテリーの充電を終了するために用いられる。
【００２８】
上述した方案において、第ｉプリセットセル電圧は単一セルの定格電圧より高い。
【００２９】
上述した方案において、被充電機器の充電モードは、無線充電モード及び有線充電モードを含み、制御ユニットは、さらに、充電モードを選択することによって、無線充電モード又は有線充電モードでバッテリーを充電するように、被充電機器を制御するために用いられる。
【００３０】
第三態様において、充電制御装置が提供される。充電制御装置は、メモリ及びプロセッサを含み、メモリにはプロセッサで実行可能なコンピュータプログラムが格納されており、コンピュータプログラムがプロセッサによって実行されると、第一態様のいずれか一項に記載の充電制御方法を実行する。
【００３１】
第四態様において、充電制御プログラムが格納されたコンピュータ記憶媒体が提供される。充電制御プログラムが少なくとも１つのプロセッサによって実行されると、第一態様のいずれか一項に記載の充電制御方法を実行する。
【００３２】
第五態様において、被充電機器が提供される。被充電機器は、第二態様のいずれか一項に記載の充電制御装置、又は第三態様に記載の充電制御装置を含む。
【００３３】
本出願の実施形態は、充電制御方法及び装置、コンピューター記憶媒体を提供する。充電制御方法は、被充電機器に適用され、被充電機器内のバッテリーは複数のセルを含む。被充電機器の充電過程において、被充電機器内のバッテリーに対してＫ段階の定電流充電を行う。Ｋは１以上の正整数である。Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電する。Ｋ段階の定電流充電における各々の定電流充電段階で、バッテリーに印加された充電電圧と複数のセルのそれぞれの両端の電圧を検出する。充電電圧及び/又は複数のセルのいずれかの両端の電圧が、この定電流充電段階に対応するプリセット電圧より高い場合、被充電機器が次の定電流充電段階に進むように制御する。この充電過程は複数のセルを含むバッテリーに適用され、多段定電流充電を使用して定電流充電過程をできるだけ延長することにより、充電過程全体の充電時間を短縮し、充電速度を向上させる。
【図面の簡単な説明】
【００３４】
【図１】図１は、関連技術における階段状の充電技術の概略図である。
【図２】図２は、本発明の実施形態に係わる被充電機器の構造を示す概略図であるである。
【図３】図３は、本発明の実施形態に係わる充電制御方法のフローチャートである。
【図４】図４は、本発明の実施形態に係わる充電制御技術の概略図である。
【図５】図５は、本発明の別の実施形態に係わる充電制御技術の概略図である。
【図６】図６は、本発明の実施形態に係わる充電制御装置の構造を示す概略図である。
【図７】図７は、本発明の実施形態に係わる充電制御装置の具体的なハードウェア構造を示す概略図である。
【図８】図８は、本発明の別の実施形態に係わる被充電機器の構造を示す概略図であるである。
【発明を実施するための形態】
【００３５】
本出願の実施形態の特徴及び技術的内容を詳細に理解するために、以下、添付された図面を参照して本出願の実施形態を詳細に説明する。添付された図面は、ただ本出願を説明するために用いられ、本出願の実施形態を制限することを意図したものではない。
【００３６】
充電技術の急速な発展に伴い、現在、充電技術には主に有線充電技術と無線充電技術が含まれる。ユーザが被充電機器を充電する際、充電用の充電ケーブルを介して被充電機器と充電装置（例えば、異なるタイプのアダプタである）を接続して、被充電機器の充電を実現することは、有線充電技術と呼ばれる。しかしながら、充電ケーブルを失った場合、又は被充電機器と充電装置との間の特定の距離が望まれる場合、無線充電技術によって被充電機器を充電することができる。無線充電技術は、無線電力伝送技術に基づく、異なる無線充電原理によって、無線充電モードには、主に電磁誘導（又は磁気結合）モード、無線電波モード、電磁共振モードが含まれる。被充電機器が電磁誘導モードの無線充電技術を採用することを例に挙げると、エネルギーは被充電機器と充電装置（例えば、無線充電ベースである）との間で磁場の形で伝達され、充電ケーブルなしで被充電機器を充電することができる。
【００３７】
有線充電技術又は無線充電技術に係わらず、現在、充電手順には、一般的にに、定電流（ｃｏｎｓｔａｎｔ-ｃｕｒｒｅｎｔ，ＣＣ）充電段階と定電圧（ｃｏｎｓｔａｎｔ-ｖｏｌｔａｇｅ，ＣＶ）充電段階が含まれる。定電圧充電段階は、充電時間が長い充電段階である。もし充電過程における定電圧充電時間を効果的に短縮できると、被充電機器内のバッテリーの充電速度が大幅に向上させることができる。これは現在研究されている重要な課題であり、本出願の実施形態で解決しようとする技術問題である。
【００３８】
関連技術において、従来の充電手順は、先ず、バッテリーの両端の電圧が閾値電圧に達するまで、定電流充電電流でバッテリーを充電し、閾値電圧はバッテリーの定格電圧を超えない。次に、閾値電圧下で定電圧充電を行って、充電過程全体で充電電圧はバッテリーの定格電圧を超えない。定電流充電時間は短いので、定電圧充電時間は長く、充電時間全体が長くなる。
【００３９】
充電時間全体を短縮するために、急速充電方式としての階段状の充電技術の人気が高まっている。既存の階段状の充電技術は、ただ単一セルのバッテリーシナリオに適用され、且つ依然として定電圧充電段階を保留する。段階的充電の原理は、以下のとおりである。被充電機器の充電過程において、先ず、バッテリーの両端の電圧が第一閾値電圧に達するまで、第一充電電流で定電流充電を行う。次に、第一充電電流を第二充電電流に減らし、バッテリーの両端の電圧が第二閾値電圧に達するまで、第二充電電流で定電流充電を行う。充電電流を徐々に減らし、上記の手順を繰り返す。バッテリーの両端の電圧が第ｎ閾値電圧（第ｎ閾値電圧はバッテリーの定格電圧を超えない）に達するまで、第ｎ充電電流で定電流充電を行うとき、充電電流がバッテリーのカットオフ電流まで減少するまで、最後に第ｎ充電電圧で定電圧充電する。ｎは１以上の正整数である。
【００４０】
図１は、関連技術における階段状の充電技術の概略図である。図１に示されたように、横軸は時間（Ｔ）を表し、縦軸は充電電流（Ｉ）を表す。先ず、第一充電電流Ｉ１で定電流充電して、第一充電時間ｔ１を経過した後、バッテリーの両端の電圧が第一閾値電圧Ｖ１に達する。次に、第一充電電流Ｉ１を第二充電電流Ｉ２に減らし、第二充電電流Ｉ２で定電流充電して、第二充電時間ｔ２を経過した後、バッテリーの両端の電圧が第二閾値電圧Ｖ２に達する。充電電流を徐々に減らし、上記の手順を繰り返す。バッテリーの両端の電圧が第ｎ閾値電圧Ｖｎ（充電カットオフ電圧Ｖｅｎｄ）に達するまで、第ｎ充電電流Ｉｎで定電流充電してから、充電電流が充電カットオフ電流Ｉｅｎｄまで減少するまで、第ｎ閾値電圧Ｖｎで定電圧充電する。ここで、Ｖ１、Ｖ２、…、Ｖｎはすべてバッテリーの定格電圧を超えない。
【００４１】
関連技術において、階段状の充電技術が提案されているが、階段状の充電技術は、複数のセルを含むバッテリーには適用できなく、充電過程で依然として定電流充電と定電圧充電を結合した方式を採用し、定電圧充電段階全体の充電電圧はバッテリーの定格電圧を超えなく、従って被充電機器の充電時間をさらに短くすることが望ましい。
【００４２】
上記に基づいて、本出願の実施形態は充電制御方法を提供する。充電制御方法は、被充電機器に適用され、被充電機器内のバッテリーは複数のセルを含む。充電制御方法は、被充電機器の充電過程において、被充電機器内のバッテリーに対してＫ段階定電流充電を行うことと、Ｋは１以上の正整数であり、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電することと、Ｋ段階の定電流充電における各々の定電流充電段階で、バッテリーに印加された充電電圧と複数のセルのそれぞれの両端の電圧を検出することと、充電電圧及び/又は複数のセルのいずれかの両端の電圧が、この定電流充電段階に対応するプリセット電圧より高い場合、被充電機器が次の定電流充電段階に進むように制御することと、を含む。この充電過程は複数のセルを含むバッテリーに適用され、多段定電流充電を使用して定電流充電過程をできるだけ延長することにより、充電過程全体の充電時間を短縮し、充電速度を向上させる。
【００４３】
被充電機器は、端末であることができる。端末は、有線回線によって接続される装置及び/又は無線インタフェースを介して通信信号を受信/送信する装置であることができるが、これらに限定されるものではない。有線回線は、例えば、公衆交換電話網（ｐｕｂｌｉｃ ｓｗｉｔｃｈｅｄ ｔｅｌｅｐｈｏｎｅ ｎｅｔｗｏｒｋ, ＰＳＴＮ）、デジタル加入者線（ｄｉｇｉｔａｌ ｓｕｂｓｃｒｉｂｅｒ ｌｉｎｅ, ＤＳＬ）、デジタルケーブル、直接接続ケーブル、及び/又は他のデータ接続ライン又はネットワーク接続ラインであることができる。無線インターフェースは、例えば、セルラーネットワーク、無線ローカルエリアネットワーク（ｗｉｒｅｌｅｓｓ ｌｏｃａｌ ａｒｅａ ｎｅｔｗｏｒｋ，ＷＬＡＮ）、デジタルビデオ放送ハンドヘルド（ｄｉｇｉｔａｌ ｖｉｄｅｏ ｂｒｏａｄｃａｓｔｉｎｇ ｈａｎｄｈｅｌｄ，ＤＶＢ-Ｈ）ネットワークのようなデジタルテレビネットワーク、衛星ネットワーク、振幅変調周波数変調（ａｍｐｌｉｔｕｄｅ ｍｏｄｕｌａｔｉｏｎ-ｆｒｅｑｕｅｎｃｙ ｍｏｄｕｌａｔｉｏｎ, ＡＭ−ＦＭ）放送送信機、及び/又は他の通信端末と通信することであることができる。無線インタフェースを介して通信するように構成された端末は、「無線通信端末」、「無線端末」、及び/又は「移動端末」と呼ぶことができる。移動端末の例としては、携帯電話、タブレットコンピュータ、ノートブックコンピュータ、ハンドヘルドコンピュータ、パーソナルデジタルアシスタント（Ｐｅｒｓｏｎａ  Ｄｉｇｉｔａｌ Ａｓｓｉｓｔａｎｔ, ＰＤＡ）、ポータブルメディアプレーヤー（ｐｏｒｔａｂｌｅ  ｍｅｄｉａ  ｐｌａｙｅｒ，ＰＭＰ）、ナビゲーションデバイスなどのモバイル端末デバイスが含まれ得るが、これらに限定されなく、デジタルＴＶ、デスクトップコンピュータなどの固定端末デバイスを含むこともできる。さらに、本出願の実施形態で使用される被充電機器は、さらにパワーバンクを含むことができる。パワーバンクは、他の電子デバイスにエネルギーを提供するために、受信された充電エネルギーを貯蔵することができる。本出願の実施形態において、これに対して具体的に限定しない。
【００４４】
図２は、本発明の実施形態に係わる被充電機器の構造を示す概略図であるである。図２に示されたように、被充電機器２０は、無線充電受信ユニット２０１、有線充電接続ユニット２０２、充電管理ユニット２０３、制御ユニット２０４、検出ユニット２０５及びバッテリー２０６を含む。当業者であれば、図２に示された被充電機器２０の構造は、被充電機器の構造に対するいかなる制限を構成しないことを理解することができる。被充電機器は、図示されているよりも多い又は少ないコンポーネントを含み得るか、又は特定のコンポーネントを組み合わせるか、又は異なる配置を有することができる。
【００４５】
いくつかの実施形態において、無線充電受信ユニット２０１及び有線充電接続ユニット２０２は被充電機器２０に同時に含まれなくてもよい。被充電機器２０がただ無線充電モードを支持する場合、被充電機器ス２０は無線充電受信ユニット２０１のみを含むことができる。被充電機器２０がただ有線充電モードを指示する場合、被充電機器２０は有線充電接続ユニット２０２のみを含むことができる。被充電機器２０が無線充電モード及び有線充電モードの両方を支持する場合、被充電機器２０は無線充電受信ユニット２０１及び有線充電接続ユニット２０２の両方を含むことができ、本出願の実施形態はこれに対して具体的に限定しない。
【００４６】
さらに、外部有線充電装置（アダプタなど）は、充電ケーブルを介して被充電機器２０に有線接続されることができる。具体的には、外部有線充電装置は、充電ケーブルを介して有線充電接続ユニット２０２に接続される。外部有線充電装置と有線充電接続ユニット２０２は、ハンドシェイク通信プロトコルに基づく充電交渉のために互いに通信することができる。外部無線充電装置（無線充電ベースなど）は、電磁誘導を介し被充電機器２０に無線接続されることができる。具体的には、外部無線充電装置は、その内部の無線充電送信ユニットによって、電磁誘導を介して無線充電受信ユニット２０１に無線接続されて、無線通信を行う。
【００４７】
いくつかの実施形態において、無線通信方式は、Ｂｌｕｅｔｏｏｔｈ、無線忠実度（ｗｉｒｅｌｅｓｓ  ｆｉｄｅｌｉｔｙ，ＷｉＦｉ）通信、高キャリア周波数に基づく近距離無線通信（ＮＦＣ）、光通信、超音波通信、超広帯域通信及び移動通信などを含むが、これらに限定されない。本出願の実施形態はこれに対して具体的に限定しない。
【００４８】
いくつかの実施形態において、無線充電受信ユニット２０１は、受信コイル及びＡＣ/ＤＣ変換ユニットを含む。無線充電受信ユニット２０１は、受信コイルによって無線充電装置から送信された無線充電信号を交流（ＡＣ）に変換し、ＡＣ/ＤＣ変換ユニットによってＡＣを整流及び/又はフィルタリングすることにより、ＡＣを安定な直流（ＤＣ）に変換してからバッテリー２０６に提供して、バッテリー２０６を充電するために用いられる。
【００４９】
いくつかの実施形態において、有線充電接続ユニット２０２は、ユニバーサルシリアルバス（ＵＳＢ）インターフェースを含む。有線充電接続ユニット２０２は、有線充電装置に接続されて、有線充電装置から出力された直流電圧及び直流電流を受け取ってバッテリー２０６に提供して、バッテリー２０６を充電するために用いられる。
【００５０】
いくつかの実施形態において、充電管理ユニット２０３は、無線充電受信ユニット２０１から出力される直流電圧に対して昇圧又は降圧して、第一出力電圧及び第一出力電流を取得するために用いられる。第一出力電圧及び第一出力電流は、バッテリー２０６の充電要件を満たし、充電のためにバッテリー２０６に直接印加することができる。
【００５１】
いくつかの実施形態において、充電管理ユニット２０３は、有線充電接続ユニット２０２から出力された直流電圧に対して昇圧又は降圧して、第二出力電圧及び第二出力電流を取得するために用いられる。第二出力電圧及び第二出力電流は、バッテリー２０６の充電要件を満たし、充電のためにバッテリー２０６に直接印加することができる。
【００５２】
いくつかの実施形態において、充電管理ユニット２０３は、電圧変換ユニットを含む。電圧変換ユニットは、ブースト（ｂｏｏｓｔ）変換回路、バック（ｂｕｃｋ）変換回路、バックブースト（ｂｕｃｋ-ｂｏｏｓｔ）変換回路、又はロードロップアウト（ｌｏｗ-ｄｒｏｐｏｕｔ，ＬＤＯ）レギュレータであることができる。電圧変換ユニットは、チャージポンプ回路又は直接充電回路であることもできる。本出願の実施形態はこれに対して具体的に限定しない。
【００５３】
いくつかの実施形態において、制御ユニット２０４は、被充電機器２０が無線充電モードにあると確定した場合、充電管理ユニット２０３と無線充電受信ユニット２０１との間の経路をオンにする（すなわち、有効にする）ために用いられる。制御ユニット２０４は、さらに、被充電機器２０が有線充電モードにあると確定した場合、充電管理ユニット２０３と有線充電接続ユニット２０２との間の経路をオンにするために用いられる。
【００５４】
いくつかの実施形態において、制御ユニット２０４は、被充電機器２０内の独立したマイクロコントローラユニット（ｍｉｃｒｏｃｏｎｔｒｏｌｌｅｒ  ｕｎｉｔ，ＭＣＵ）であることができるので、制御の信頼性を向上させることができる。別の実施形態において、制御ユニット２０４は、被充電機器２０内のアプリケーションプロセッサ（ａｐｐｌｉｃａｔｉｏｎ  ｐｒｏｃｅｓｓｏｒ，ＡＰ）であることができるので、ハードウェアコストを節約することが可能である。本出願の実施形態はこれに対して具体的に限定しない。
【００５５】
検出ユニット２０５は、バッテリー２０６のバッテリー電圧及び/又はバッテリー電流を検出するために用いられる。バッテリー電圧及びバッテリー電流は、充電管理ユニット２０３とバッテリー２０６との間の電圧値及び/又はは電流値であることができ、即ち充電管理ユニット２０３の出力電圧及び/又は出力電流であることができる。
【００５６】
いくつかの実施形態において、検出ユニット２０５は、電圧検出ユニット及び電流検出ユニットを含むことができる。電圧検出ユニットは、バッテリー電圧をサンプリングして、サンプリングされたバッテリー電圧値を制御ユニット２０４に送信するために用いられる。いくつかの実施形態において、電圧検出ユニットは、直列電圧分割方式によってバッテリー電圧をサンプリングすることができる。電流検出ユニットは、バッテリー電流をサンプリングして、サンプリングされたバッテリー電流値を制御ユニット２０４に送信するために用いられる。いくつかの実施形態において、電流検出ユニットは、電流検出抵抗器（ｃｕｒｒｅｎｔ  ｓｅｎｓｉｎｇ  ｒｅｓｉｓｔｏｒ）及び電流検出器（ｃｕｒｒｅｎｔ  ｄｅｔｅｃｔｏｒ）を介してバッテリー電流をサンプリング及び検出することができる。
【００５７】
制御ユニット２０４は、さらに、無線充電装置と通信して、検出ユニット２０５によって検出された電圧値及び/又は電流値を無線充電装置にフィードバックするために用いられる。従って、無線充電装置はフィードバックされた電圧値及び/又は電流値に基づいてその送信電力を調整することにより、バッテリー電圧値及び/又はバッテリー電流値がバッテリー２０６の必要とする充電電圧値及び/又は充電電流値と一致するようにする。
【００５８】
図２に示された被充電機器に基づいて、以下、添付された図面を参照して本出願の各実施例を詳細に説明する。
【００５９】
図３は、本出願の実施形態に係わる充電制御方法のフローチャートである。充電制御方法は、被充電機器に適用され、被充電機器内のバッテリーは複数のセルを含む。充電制御方法は、以下の内容を含む。
【００６０】
Ｓ３０１、被充電機器の充電過程において、被充電機器内のバッテリーに対してＫ段階の定電流充電を行う。Ｋは１以上の正整数である。
【００６１】
Ｓ３０２、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電し、第Ｋ番目の定電流充電段階に対応するプリセット電圧は充電カットオフ電圧であり、充電カットオフ電圧はバッテリーの定格電圧よりも高い。
【００６２】
Ｓ３０３、Ｋ段階の定電流充電における各々の定電流充電段階で、バッテリーに印加された充電電圧と複数のセルのそれぞれの両端の電圧を検出する。
【００６３】
Ｓ３０４、充電電圧及び/又は複数のセルのいずれかの両端の電圧が、この定電流充電段階に対応するプリセット電圧より高い場合、被充電機器が次の定電流充電段階に進むように制御する。
【００６４】
被充電機器の充電過程は、複数の定電流充電段階を含み得ることに留意されたい。定電流充電段階の数はＫで表すことができる。ここで、Ｋは、１以上の正整数であり、例えば、Ｋ＝５である。しかしながら、実際の応用において、Ｋは実際の状況（バッテリーの構造、材料など）に基づいて具体的に設定することができ、本出願の実施形態はこれに対して具体的に限定しない。
【００６５】
また、第Ｋプリセット電圧は、第Ｋ番目の定電流充電段階に対応するプリセット電圧であり、即ち、被充電機器内のバッテリーの充電カットオフ電圧である。このように、最後の定電流充電段階では、検出されたバッテリーの電圧がバッテリーの充電カットオフ電圧と等しい場合、バッテリーの充電を直接に終了する。
【００６６】
本出願の実施形態において、充電制御方法は、被充電機器に適用され、被充電機器内のバッテリーは複数のセルを含む。被充電機器の充電過程において、被充電機器内のバッテリーに対してＫ段階の定電流充電を行う。Ｋは１以上の正整数である。Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電する。Ｋ段階の定電流充電における各々の定電流充電段階で、バッテリーに印加された充電電圧と複数のセルのそれぞれの両端の電圧を検出する。充電電圧及び/又は複数のセルのいずれかの両端の電圧が、この定電流充電段階に対応するプリセット電圧より高い場合、被充電機器が次の定電流充電段階に進むように制御する。この充電過程は複数のセルを含むバッテリーに適用され、多段定電流充電を使用して定電流充電過程をできるだけ延長することにより、充電過程全体の充電時間を短縮し、充電速度を向上させる。
【００６７】
いくつかの実装形態において、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電することは、
前の（Ｋ−１）段階のうちの第ｉ番目の定電流充電段階では、バッテリーの電圧が第ｉプリセット電圧に達するまで、第ｉプリセット電流でバッテリーに対して定電流充電することと、
第Ｋ番目の定電流充電段階では、バッテリーの電圧が第Ｋプリセット電圧に達するまで、第Ｋプリセット電流でバッテリーに対して定電流充電することと、
を含み、
ｉは１以上且つ（Ｋ−１）以下の正整数であり、第（ｉ＋１）プリセット電流は第ｉプリセット電流より小さく、第Ｋプリセット電流は第（Ｋ−１）プリセット電流より小さく、第Ｋプリセット電圧は充電カットオフ電圧である。
【００６８】
なお、各々の定電流充電段階（例えば、第ｉ番目の定電流充電段階である）において、第ｉプリセット電流及び第ｉプリセット電圧は、それぞれ、被充電機器が第ｉ番目の定電流充電段階のために予め設定した電流値及び電圧値を表す。定電流充電に大電流が流れると、充電停止後に充電電圧が下がるので、ｉが大きくなることにつれて充電電流は減少され、即ち、第（ｉ＋１）プリセット電流は第ｉプリセット電流より小さい。例えば、Ｋ＝５であり、被充電機器内のバッテリーの複数のセルは並列に接続されると仮定し、第一番目の定電流充電段階では、第一プリセット電流はＸ（アンペア、Ａ）であり、第一プリセット電圧はＹ１（ボルト、Ｖ）であり；第二番目の定電流充電段階では、第二プリセット電流はＸ−△Ａ１であり、第二プリセット電圧はＹ２（Ｖ）であり；第三番目の定電流充電段では、第三プリセット電流はＸ−△Ａ１−△Ａ２であり、第三プリセット電圧はＹ３（Ｖ）であり；第四番目の定電流充電段では、第四プリセット電流はＸ−△Ａ１−△Ａ２−△Ａ３であり、第四プリセット電圧はＹ４（Ｖ）であり；第五番目の定電流充電段では、第五プリセット電流はＸ−△Ａ１−△Ａ２−△Ａ３−△Ａ４であり、第五プリセット電圧はＹ５（Ｖ）である。しかしながら、実際の応用では、第ｉプリセット電流及び第ｉプリセット電圧は実際の状況（バッテリーの構造、材料など）に基づいて具体的に設定することができ、本出願の実施形態はこれに対して具体的に限定しない。  
【００６９】
本出願の実施形態において、第一プリセット電流Ｘは３Ａより大きく、例えば、４Ａであることができる。第二プリセット電流から第五プリセット電流まで徐々に小さくなり、即ち、後の段階の電流は前の段階の電流より小さい。例えば、△Ａ１、△Ａ２、△Ａ３及び△Ａ４は、０．５〜１の間の値に設定されることができる。いくつかの実施形態において、第一プリセット電圧Ｙ１、第二プリセット電圧Ｙ２、第三プリセット電圧Ｙ３、第四プリセット電圧Ｙ４及び第五プリセット電圧Ｙ５は、バッテリーの定格電圧以上であることができる。例えば、バッテリーの定格電圧がＶ０であると、Ｙ１、Ｙ２、Ｙ３、Ｙ４及びＹ５はＶ０＋△Ｖと等しくことができ、ここで、△Ｖは０．０５〜０．５の値に設定されることができる。
【００７０】
いくつかの実施形態において、Ｋ段階の定電流充電において、各定電流充電段階に対応するプリセット電圧は同じであっても異なってもよく、且つ各定電流充電段階に対応するプリセット電圧はバッテリーの定格電圧より高いことができる。具体的には、複数のセルの場合、複数のセルのいずれかの各定電流充電段階に対応するプリセット電圧は、単一のセルの定格電圧より高いことができる。このようにして、複数のセルのそれぞれを過電圧充電することができるので、充電時間をできる限り短縮し、充電時間を節約する。
【００７１】
いくつかの実装形態において、第ｉ番目の定電流充電段階では、充電電圧及び/又は複数のセルのいずれかの両端の電圧がこの定電流充電段階に対応するプリセット電圧より高い場合、被充電機器が次の定電流充電段階に進むように制御することは、
検出されたバッテリーの充電電圧に基づいて、充電電圧が第ｉプリセット電圧より高いか否かを判断することと、ここで、第ｉプリセット電圧は第ｉ番目の定電流充電段階のバッテリーのプリセット閾値電圧を表し、
検出された複数のセルのそれぞれの両端の電圧に基づいて、いずれか１つのセルの両端の電圧が第ｉプリセットセル電圧より高いか否かを判断することと、ここで、第ｉプリセットセル電圧は第ｉ番目の定電流充電段階の単一セルのプリセット閾値電圧を表し、
充電電圧が第ｉプリセット電圧より高い場合及び/又は複数のセルのいずれかの両端の電圧が第ｉプリセットセル電圧より高い場合、被充電機器が第（ｉ＋１）番目の定電流充電段階に進むように制御して、第ｉ番目の定電流充電段階で検出された複数のセルのそれぞれの両端の電圧が第ｉプリセットセル電圧を超えないようにする。
【００７２】
なお、被充電機器は、検出ユニット（図２に示された検出ユニット２０５など）を含む。
検出ユニットは、一般的に、被検出回路に直列に接続され、被検出回路の電流及び/又は電圧を測定するために用いられる。本出願の実施形態において、検出ユニットは、抵抗式（電流検出抵抗器など）、又は磁気デバイス（電流トランスフォーマー（Ｃｕｒｒｅｎｔ  ｔｒａｎｓｆｏｒｍｅｒ）、電圧トランスフォーマー（Ｐｏｔｅｎｔｉａｌ  ｔｒａｎｓｆｏｒｍｅｒ）、ロゴスキーコイル（Ｒｏｇｏｗｓｋｉ  ｃｏｉｌ）、ホールセンサー（Ｈａｌｌ  ｓｅｎｓｏｒ）など）、又はトランジスタ（ＲＤＳ（ＯＮ）など）であることができ、本出願の実施形態はこれに対して具体的に限定しない。
【００７３】
このように、第ｉ番目の定電流充電段階では、バッテリーの充電電圧が第ｉプリセット電圧と等しいことが検出された場合及び/又は複数のセルのいずれかの両端の電圧が第ｉプリセットセル電圧より高いことが検出された場合、被充電機器は第ｉ番目の定電流充電段階から第（ｉ＋１）番目の定電流充電段階に進み、第ｉ番目の定電流充電段階で検出された複数のセルのそれぞれの両端の電圧が第ｉプリセットセル電圧を超えないようにする。
【００７４】
いくつかの実装形態において、被充電機器が次の定電流充電段階に進むように制御した後、充電制御方法は、さらに、
第Ｋ番目の定電流充電段階では、バッテリーの充電電圧が充電カットオフ電圧より高いことが検出された場合及び/又は複数のセルのいずれかの両端の電圧が第Ｋプリセットセル電圧より高いことが検出された場合、バッテリーの充電を終了するか、又は充電カットオフ電圧をバッテリーに印加して定電圧充電すること、を含む。
【００７５】
複数のセルが並列に接続されている場合、充電カットオフ電圧は第Ｋプリセットセル電圧と等しく、複数のセルが直列に接続されている場合、充電カットオフ電圧は「複数のセルのセル数×第Ｋプリセットセル電圧」と等しいことに注意してください。従って第Ｋ番目の定電流充電段階の後、バッテリーの充電電圧が充電カットオフ電圧よりも高いか及び/又は複数のセルのいずれかの両端の電圧が第Ｋプリセットセル電圧より高い場合、バッテリーの充電を直接に終了することができ、又は充電カットオフ電圧を被充電機器のバッテリーに印加して定電圧充電することができ、本出願の実施形態はこれに対して具体的に限定しない。
【００７６】
図４は、本発明の実施形態に係わる充電制御技術の概略図である。図４に示されたように、横軸は時間（Ｔ）を表し、縦軸は充電電流（Ｉ）を表す。被充電機器に対してＫ段階の定電流充電を行うと仮定する。第一番目の定電流充電段階では、第一プリセット電流Ｉ１で定電流充電して、第一充電時間ｔ１を経過した後、バッテリーの電圧が第一プリセット電圧Ｖ１に達し、且つこの定電流充電段階の複数のセルのそれぞれの両端の電圧は第一プリセットセル電圧を超えない。次に、充電電流を第一プリセット電流Ｉ１から第二プリセット電流Ｉ２に減らして、第二番目の定電流充電段階に進む。第二番目の定電流充電段階では、第二プリセット電流Ｉ２で定電流充電して、第二充電時間ｔ２を経過した後、バッテリーの電圧が第二プリセット電圧Ｖ２に達し、且つこの定電流充電段階の複数のセルのそれぞれの両端の電圧は第二プリセットセル電圧を超えない。充電電流を徐々に減らし、上記の手順を繰り返す。充電電流を第ｉプリセット電流Ｉｉに減少すると、第ｉ番目の定電流充電段階に進む。第ｉ番目の定電流充電段階では、第ｉプリセット電流Ｉｉで定電流充電して、第ｉ充電時間ｔｉを経過した後、バッテリーの電圧が第ｉプリセット電圧Ｖｉに達し、且つこの定電流充電段階の複数のセルのそれぞれの両端の電圧は第ｉプリセットセル電圧を超えない。このように、最後の定電流充電段階に進み、即ち第Ｋ番目の定電流充電段階では、第Ｋプリセット電流ＩＫで定電流充電して、第Ｋ充電時間ｔＫを経過した後、バッテリーの電圧が第Ｋプリセット電圧ＶＫ（即ち、充電カットオフ電圧である）に達し、この時、バッテリーの充電を終了することができる。このように、上記の充電過程は多段定電流充電を採用するので、定電流充電過程をできるだけ延長することができ、充電過程全体の充電時間を短縮する。また、上記の充電過程では定電圧充電段を排除したので、充電過程全体の充電時間をさらに節約し、充電速度を向上させることができる。
【００７７】
第ｉプリセット電圧は第ｉ番目の定電流充電段階のバッテリーのプリセット閾値電圧を表し、第ｉプリセットセル電圧は第ｉ番目の定電流充電段階の単一セルのプリセット閾値電圧を表す。複数のセルのセル数がＮであると仮定し、Ｎは１より大きい正整数であると、バッテリーの複数のセルが直列に接続されている場合、第ｉプリセット電圧はＮ倍の第ｉプリセットセル電圧と等しく、バッテリーの複数のセルが並列に接続されている場合、第ｉプリセット電圧は第ｉプリセットセル電圧と等しい。
【００７８】
いくつかの実施形態において、第ｉ番目の定電流充電段階では、バッテリーの電圧が第ｉプリセット電圧に達するまで、第ｉプリセット電流でバッテリーに対して定電流充電することは、
複数のセルの構造を判断することと、
複数のセルが直列に接続されている場合、第ｉ番目の定電流充電段階では、バッテリーの電圧が第ｉプリセットセル電圧のＮ倍に達するまで、第ｉプリセット電流でバッテリーに対して定電流充電することと、Ｎは複数のセルのセル数を表し、且つＮは１より大きい正整数であり、
複数のセルが並列に接続されている場合、第ｉ番目の定電流充電段階では、バッテリーの電圧が第ｉプリセットセル電圧に達するまで、第ｉプリセット電流でバッテリーに対して定電流充電することと、
を含む。
【００７９】
バッテリーの複数のセルは直列又は並列に接続されることができ、本出願の実施形態はこれに対して具体的に限定しないことに留意されたい。被充電機器は先ず複数のセルの構造を判断することを必要として、複数のセルが直列に接続されている場合、第ｉ番目の定電流充電段階では、バッテリーの電圧が第ｉプリセットセル電圧のＮ倍（即ち、Ｎ×第ｉプリセットセル電圧）に達するまで、第ｉプリセット電流でバッテリーに対して定電流充電し、複数のセルが並列に接続されている場合、第ｉ番目の定電流充電段階では、バッテリーの電圧が第ｉプリセットセル電圧に達するまで、第ｉプリセット電流でバッテリーに対して定電流充電する。
【００８０】
いくつかの実装形態において、複数のセルが直列に接続されている場合、第ｉ番目の定電流充電段階では、バッテリーの電圧が第ｉプリセットセル電圧のＮ倍に達するまで、第ｉプリセット電流でバッテリーに対して定電流充電してから、充電制御方法は、さらに、
第ｉプリセットセル電圧のＮ倍をバッテリーに印加して定電圧充電することと、
バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御し、第（ｉ＋１）プリセット電流でバッテリーに対して定電流充電することと、
を含む。
【００８１】
選択的には、第Ｋ番目の定電流充電段階では、充電制御方法は、バッテリーの充電電圧が第Ｋプリセットセル電圧のＮ倍と等しいことが検出されると、バッテリの充電を終了することをさらに含む。第Ｋプリセットセル電圧のＮ倍は、充電カットオフ電圧である。
【００８２】
選択的には、第Ｋ番目の定電流充電段階では、充電制御方法は、
バッテリーの充電電圧が第Ｋプリセットセル電圧のＮ倍と等しいことが検出されると、第Ｋプリセットセル電圧のＮ倍をバッテリーに印加して定電圧充電することと、
バッテリーの充電電流が充電カットオフ電流より小さいことが検出されると、バッテリーの充電を終了することと、
をさらに含む。
【００８３】
いくつかの実装形態において、複数のセルが並列に接続されている場合、第ｉ番目の定電流充電段階では、バッテリーの電圧が第ｉプリセットセル電圧に達するまで、第ｉプリセット電流でバッテリーに対して定電流充電してから、充電制御方法は、
第ｉプリセットセル電圧をバッテリーに印加して定電圧充電することと、
バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御し、第（ｉ＋１）プリセット電流でバッテリーに対して定電流充電することと、
をさらに含む。 
【００８４】
いくつかの実装形態において、第Ｋ番目の定電流充電段階では、充電制御方法は、バッテリーの充電電圧が第Ｋプリセットセル電圧と等しいことが検出されると、バッテリーの充電を終了することをさらに含む。ここで、第Ｋプリセットセル電圧は、充電カットオフ電圧である。
【００８５】
選択的には、第Ｋ番目の定電流充電段階では、充電制御方法は、
バッテリーの充電電圧が第Ｋプリセットセル電圧と等しいことが検出されると、第Ｋプリセットセル電圧をバッテリーに印加して定電圧充電することと、
バッテリーの充電電流が充電カットオフ電流よりも小さいことが検出されると、バッテリーの充電を終了することと、
をさらに含む。
【００８６】
複数のセルが直列に接続されているか並列に接続されているかに係わらず、複数の定電流充電段階にとって、各々の定電流充電段階と次の定電流充電段階との間は定電圧充電によって接続することができる。このようにして充電電流の突然の低下を回避することができる。電流の急激な変化は、バッテリーの材質にあるほど影響を与えるので、バッテリーの損傷を引き起こし易く、バッテリーの耐久性を低下させ、バッテリーの寿命を短縮する。従って、第ｉ番目の定電流充電段と第（ｉ＋１）番目の定電流充電段階との間は定電圧充電によって接続することができ、充電電流の急激な変化を回避することに加えて、充電時間をさらに節約することができ、充電速度を向上させることができる。
【００８７】
さらに、複数のセルが直列に接続されているか並列に接続されているかに係わらず、第Ｋ番目の定電流充電段階では、バッテリーの電圧が第Ｋプリセット電圧（例えば、Ｎ個のセルが直列に接続されている場合、第Ｋプリセット電圧は第Ｋプリセットセル電圧のＮ倍と等しく、Ｎ個のセルが並列に接続されている場合、第Ｋプリセット電圧は第Ｋプリセットセル電圧と等しい）と等しいことが検出されると、バッテリーの充電を直接に終了することができる。又は、バッテリーの電圧が第Ｋプリセット電圧と等しいことが検出されると、先ず、第Ｋプリセット電圧をバッテリーに印加して定電圧充電することができ、そして、バッテリーの充電電流が充電カットオフ電流よりも小さいことが検出されると、バッテリの充電を終了する。上記の充電過程では、定電圧充電段階を保留したが、多段定電流充電を採用することにより、定電流充電過程をできるかぎり延長することができ、充電過程全体の充電時間を短縮することができる。上述した２つの処理方式は、両方とも充電時間を節約し且つ充電速度を向上させる目的を実現することができる。実際の応用では、実際の情況に応じて具体的に設定することができ、本出願の実施形態はこれに対して具体的に限定しない。
【００８８】
図５は、本発明の別の実施形態に係わる充電制御技術の概略図である。図５に示されたように、横軸は時間（Ｔ）を表し、縦軸は充電電流（Ｉ）を表す。被充電機器に対してＫ段階の定電流充電を行うと仮定する。第一番目の定電流充電段階では、バッテリーの電圧が第一プリセット電圧Ｖ１に達するまで、第一プリセット電流Ｉ１で定電流充電してから、第一プリセット電圧Ｖ１をバッテリーに印加して定電圧充電して、第一充電時間ｔ１を経過した後、バッテリーの充電電流が第二プリセット電流Ｉ２と等しいこと及び/又は複数のセルのいずれかの両端の電圧が第一プリセットセル電圧より高いことが検出されると、被充電機器は第二番目の定電流充電段階に進む。第二番目の定電流充電段階では、バッテリーの電圧が第二プリセット電圧Ｖ２に達するまで、第二プリセット電流Ｉ２で定電流充電してから、第二プリセット電圧Ｖ２をバッテリーに印加して定電圧充電して、第二充電時間ｔ２を経過した後、バッテリーの充電電流が第三プリセット電流Ｉ３と等しいこと及び/又は複数のセルのいずれかの両端の電圧が第二プリセットセル電圧より高いことが検出されると、被充電機器は第三番目の定電流充電段階に進む。上記の手順を繰り返す。第ｉ番目の定電流充電段階では、バッテリーの電圧が第ｉプリセット電圧Ｖｉに達するまで、第ｉプリセット電流Ｉｉで定電流充電してから、第ｉプリセット電圧Ｖｉをバッテリーに印加して定電圧充電して、第ｉ充電時間ｔｉを経過した後、バッテリーの充電電流が第（ｉ＋１）プリセット電流Ｉｉ＋１と等しいこと及び/又は複数のセルのいずれかの両端の電圧が第ｉプリセットセル電圧より高いことが検出されると、被充電機器は第（ｉ＋１）番目の定電流充電段階に進む。このように、最後の定電流充電段階に進み、即ち第Ｋ番目の定電流充電段階では、バッテリーの電圧が第Ｋプリセット電圧ＶＫ（即ち、充電カットオフ電圧Ｖｅｎｄである）に達するまで、第Ｋプリセット電流ＩＫで定電流充電して、バッテリーの充電電圧がＶＫと等しいことが検出されると、バッテリーの充電を終了することができる。
【００８９】
いくつかの実施形態において、第ｉプリセットセル電圧は単一セルの定格電圧より高い。
【００９０】
被充電機器の充電過程において、第ｉプリセットセル電圧は、第ｉ番目の定電流充電段階における単一セルのプリセット閾値電圧を表すことに留意されたい。各定電流充電段階に対応するプリセットセル電圧は同じであっても異なってもよく、本出願の実施形態は具体的に限定しない。本出願の実施形態において、第ｉプリセットセル電圧は単一セルの定格電圧より高いことができる。このようにして、複数のセルのそれぞれを過電圧充電することができるので、充電期間をできる限り短縮し、充電時間を節約する。従って、関連技術と比較して、充電時間を大幅に節約し、充電効率を大幅に向上させることができる。
【００９１】
いくつかの実施形態において、第ｉプリセットセル電圧は、単一セルの定格電圧とプリセット電圧差との合計と等しくなるように設定されることができる。プリセット電圧差ΔＶは、０．０５Ｖ又は０．５Ｖであることができる。一般的に、ΔＶは０．０５Ｖ〜０．５Ｖの間の値を取ることができる。実際の応用では、ΔＶは実際の情況に応じて設定されることができ、本出願の実施形態はこれに対して具体的に限定しない。
【００９２】
いくつかの実装形態において、被充電機器の充電モードは、無線充電モード及び有線充電モードを含み、充電制御方法は、充電モードを選択することによって、無線充電モード又は有線充電モードでバッテリーを充電するように、被充電機器を制御することをさらに含む。
【００９３】
なお、本出願の実装形態に係わる充電制御方法は、被充電機器の無線充電モード及び被充電機器の有線充電モードの両方に適用可能であることに留意されたい。充電モードを選択することにより、無線充電モード又は有線充電モードで被充電機器のバッテリーを充電することができる。また、上記の充電過程では多段定電流充電を採用するので、定電流充電過程をできるかぎり延長することができ、充電過程全体の充電時間を短縮し、充電速度を向上させることができる。
【００９４】
さらに、複数のセルが並列に接続されている場合、第ｉ番目の定電流充電段階では、複数のセルのいずれかの両端の電圧が第ｉプリセットセル電圧より高いことが検出されると、第ｉ番目の定電流充電段階の第ｉプリセットセル電圧に達したセルに対応する充電経路を切断し、第ｉ番目の定電流充電段階の第ｉプリセットセル電圧に達していないセルを充電し続ける。換言すると、複数のセルの場合、複数のセルのそれぞれに対して、いずれも上記の充電制御方法によって独立に充電操作することができる。
【００９５】
上述した実施形態は、充電制御方法を提供する。この方法は、被充電機器に適用され、被充電機器内のバッテリーは複数のセルを含む。被充電機器の充電過程において、被充電機器内のバッテリーに対してＫ段階の定電流充電を行う。Ｋは１以上の正整数である。Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電する。Ｋ段階の定電流充電における各々の定電流充電段階で、バッテリーに印加された充電電圧と複数のセルのそれぞれの両端の電圧を検出する。充電電圧及び/又は複数のセルのいずれかの両端の電圧が、この定電流充電段階に対応するプリセット電圧より高い場合、被充電機器が次の定電流充電段階に進むように制御する。この充電過程は多段定電流充電を採用して、定電流充電時間をできるだけ延長することにより、充電時間全体を短縮し、充電速度を向上させる。
【００９６】
図３に示された技術的解決策と同じ発明概念に基づいて、図６を参照すると、本発明の実施形態に係わる充電制御装置６０の構造を示す概略図である。充電制御装置６０は、被充電機器に適用可能であり、被充電機器内のバッテリーは複数のセルを含む。充電制御装置６０は、充電ユニット６０１、検出ユニット６０２及び制御ユニット６０３を含む。充電ユニット６０１は、被充電機器の充電過程において、被充電機器内のバッテリーに対してＫ段階の定電流充電を行うために用いられ、Ｋは１以上の正整数である。充電ユニット６０１は、さらに、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電するために用いられ、第Ｋ番目の定電流充電段階に対応するプリセット電圧は充電カットオフ電圧であり、充電カットオフ電圧はバッテリーの定格電圧よりも高い。検出ユニット６０２は、Ｋ段階の定電流充電における各々の定電流充電段階で、バッテリーに印加された充電電圧と複数のセルのそれぞれの両端の電圧を検出するために用いられる。制御ユニット６０３は、充電電圧及び/又は複数のセルのいずれかの両端の電圧が、この定電流充電段階に対応するプリセット電圧より高い場合、被充電機器が次の定電流充電段階に進むように制御するために用いられる。
【００９７】
いくつかの実装形態において、充電ユニット６０１は、具体的に、前の（Ｋ−１）段階のうちの第ｉ番目の定電流充電段階では、バッテリーの電圧が第ｉプリセット電圧に達するまで、第ｉプリセット電流でバッテリーに対して定電流充電するために用いられ、ｉは１以上且つ（Ｋ−１）以下の正整数であり、第（ｉ＋１）プリセット電流は第ｉプリセット電流より小さい。充電ユニット６０１は、さらに、第Ｋ番目の定電流充電段階では、バッテリーの電圧が第Ｋプリセット電圧に達するまで、第Ｋプリセット電流でバッテリーに対して定電流充電するために用いられ、第Ｋプリセット電流は第（Ｋ−１）プリセット電流より小さく、第Ｋプリセット電圧は充電カットオフ電圧である。
【００９８】
いくつかの実装形態において、第ｉ番目の定電流充電段階では、制御ユニット６０３は、具体的に、検出されたバッテリーの充電電圧に基づいて、充電電圧が第ｉプリセット電圧より高いか否かを判断し、ここで、第ｉプリセット電圧は第ｉ番目の定電流充電段階のバッテリーのプリセット閾値電圧を表し、検出された複数のセルのそれぞれの両端の電圧に基づいて、いずれか１つのセルの両端の電圧が第ｉプリセットセル電圧より高いか否かを判断し、ここで、第ｉプリセットセル電圧は第ｉ番目の定電流充電段階の単一セルのプリセット閾値電圧を表し、充電電圧が第ｉプリセット電圧より高い場合及び/又は複数のセルのいずれかの両端の電圧が第ｉプリセットセル電圧より高い場合、被充電機器が第ｉ＋１番目の定電流充電段階に進むように制御して、第ｉ番目の定電流充電段階で検出された複数のセルのそれぞれの両端の電圧が第ｉプリセットセル電圧を超えないようにするために用いられる。
【００９９】
いくつかの実装形態において、第Ｋ番目の定電流充電段階では、検出ユニット６０２によってバッテリーの充電電圧が充電カットオフ電圧より高いことが検出された場合及び/又は複数のセルのいずれかの両端の電圧が第Ｋプリセットセル電圧より高いことが検出された場合、制御ユニット６０３は、さらに、バッテリーの充電を終了するか、又は充電カットオフ電圧をバッテリーに印加して定電圧充電するために用いられる。
【０１００】
いくつかの実装形態において、制御ユニット６０３は、さらに複数のセルの構造を判断するために用いられる。複数のセルが直列に接続されている場合、充電ユニット６０１は、具体的に、第ｉ番目の定電流充電段階では、バッテリーの電圧が第ｉプリセットセル電圧のＮ倍に達するまで、第ｉプリセット電流でバッテリーに対して定電流充電するために用いられ、Ｎは複数のセルのセル数を表し、且つＮは１より大きい正整数である。複数のセルが並列に接続されている場合、充電ユニット６０１は、さらに、第ｉ番目の定電流充電段階では、バッテリーの電圧が第ｉプリセットセル電圧に達するまで、第ｉプリセット電流でバッテリーに対して定電流充電するために用いられる。
【０１０１】
いくつかの実装形態において、複数のセルが直列に接続されている場合、充電ユニット６０１は、さらに、第ｉプリセットセル電圧のＮ倍をバッテリーに印加して定電圧充電するために用いられ、
バッテリーの充電電流が第（ｉ＋１）プリセット電流と等しいこと及び/又は複数のセルのいずれかの両端の電圧が第ｉプリセットセル電圧より高いことが検出されると、制御ユニット６０３は、さらに、被充電機器が第（ｉ＋１）番目の定電流充電段階に進むように制御して、第（ｉ＋１）プリセット電流でバッテリーに対して定電流充電するために用いられる。
【０１０２】
いくつかの実装形態において、複数のセルが並列に接続されている場合、充電ユニット６０１は、さらに、第ｉプリセットセル電圧をバッテリーに印加して定電圧充電するために用いられ、
バッテリーの充電電流が第（ｉ＋１）プリセット電流と等しいこと及び/又は複数のセルのいずれかの両端の電圧が第ｉプリセットセル電圧より高いことが検出されると、制御ユニット６０３は、さらに、被充電機器が第（ｉ＋１）番目の定電流充電段階に進むように制御し、第（ｉ＋１）プリセット電流でバッテリーに対して定電流充電するために用いられる。
【０１０３】
いくつかの実装形態において、複数のセルが直列に接続されている場合、バッテリーの充電電圧が第Ｋプリセットセル電圧のＮ倍と等しいことが検出されると、制御ユニット６０３は、さらにバッテリの充電を終了するために用いられ、第Ｋプリセットセル電圧のＮ倍は、充電カットオフ電圧である。
【０１０４】
いくつかの実装形態において、複数のセルが直列に接続されている場合、バッテリーの充電電圧が第Ｋプリセットセル電圧のＮ倍と等しいことが検出されると、充電ユニット６０１は、さらに第Ｋプリセットセル電圧のＮ倍をバッテリーに印加して定電圧充電するために用いられ、
バッテリーの充電電流が充電カットオフ電流より小さいことが検出されると、制御ユニット６０３は、さらにバッテリーの充電を終了するために用いられる。
【０１０５】
いくつかの実装形態において、複数のセルが並列に接続されている場合、バッテリーの充電電圧が第Ｋプリセットセル電圧と等しいことが検出されると、制御ユニット６０３は、さらにバッテリーの充電を終了するために用いられ、第Ｋプリセットセル電圧は充電カットオフ電圧である。  
【０１０６】
いくつかの実装形態において、複数のセルが並列に接続されている場合、バッテリーの充電電圧が第Ｋプリセットセル電圧と等しいことが検出されると、充電ユニット６０１は、さらに第Ｋプリセットセル電圧をバッテリーに印加して定電圧充電するために用いられ、
バッテリーの充電電流が充電カットオフ電流よりも小さいことが検出されると、制御ユニット６０３は、さらにバッテリーの充電を終了するために用いられる。
【０１０７】
いくつかの実施形態において、第ｉプリセットセル電圧は単一セルの定格電圧より高い。
【０１０８】
いくつかの実装形態において、被充電機器の充電モードは、無線充電モード及び有線充電モードを含み、制御ユニット６０３は、さらに充電モードを選択することによって、無線充電モード又は有線充電モードでバッテリーを充電するように、被充電機器を制御するために用いられる。
【０１０９】
本実施形態において、「ユニット」は、回路の一部、プロセッサの一部、プログラム又はソフトウェアの一部などであることができる。もちろん、「ユニット」は、モジュール又は非モジュラーであることもできる。さらに、本実施形態における各構成部分は、１つの処理ユニットに集積されてもよいし、物理的に分離された複数のユニットとして存在してもよいし、２つ以上のユニットは１つのユニットに集積してもよい。集積ユニットは、ハードウェアの形式又はソフトウェアの機能ユニットの形式で実現されることもできる。
【０１１０】
上述した集積ユニットは、ソフトウェア機能ユニットとして実現され、独立の製品として販売されたり使用されたりする場合、コンピュータ読み取り可能な記録媒体に記憶されてもよい。この理解によれば、本実施例の技術方案の本質、又は従来技術に貢献できた部分、又は該技術方案の一部又は全部は、ソフトウェア製品として表現され得る。このコンピュータソフトウェア製品は、１つの記憶媒体に記憶されており、１つのコンピュータ（パソコン、サーバー、又はネットワーク機器などであってもよい）又はプロセッサに本実施例に係る方法の全部又は一部を実行させるの複数のコマンドが含まれている。記憶媒体は、ＵＳＢフラッシュメモリー、モバイルハードディスク、読み出し専用メモリ（ＲＯＭ、Ｒｅａｄ−Ｏｎｌｙ Ｍｅｍｏｒｙ）、ランダムアクセスメモリ（ＲＡＭ、Ｒａｎｄｏｍ Ａｃｃｅｓｓ Ｍｅｍｏｒｙ）、磁気ディスク又は光ディスクなどの各種のプログラムコードを記憶可能な媒体を含む。
【０１１１】
従って、本実施例は、充電制御プログラムが格納されたコンピュータ記憶媒体を提供する。充電制御プログラムが少なくとも１つのプロセッサによって実行されると、図３に示された技術的解決策の方法を実行する。
【０１１２】
充電制御装置６０の構成及びコンピュータ記憶媒体に基づいて、図７を参照すると、図７は、本発明の実施形態に係わる充電制御装置６０の具体的なハードウェア構造を示す概略図である。図７に示されたように、充電制御装置６０は、ネットワークインターフェース７０１、メモリ７０２及びプロセッサ７０３を含む。上記の各構成要素は、バスシステム７０４を介して一緒に結合される。バスシステム７０４は、これらの構成要素間の接続通信を実現するために用いられる。バスシステム７０４は、データバスに加えて、電源バス、制御バス及び状態信号バスを含む。しかしながら、明確に説明するために、様々なタイプのバスは、図７ではバスシステム７０４として示される。ネットワークインターフェース７０１は、他の外部ネットワーク要素とメッセージを送受信しながら信号を送受信するために用いられる。
【０１１３】
メモリ７０２は、プロセッサ７０３で実行可能なコンピュータプログラムを格納するために用いられる。プロセッサ７０３は、コンピュータプログラムが実行されるとき、以下の操作を実行するために用いられる。
プロセッサ７０３は、被充電機器の充電過程において、被充電機器内のバッテリーに対してＫ段階の定電流充電を行うために用いられる。Ｋは１以上の正整数である。
プロセッサ７０３は、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電するために用いられる。第Ｋ番目の定電流充電段階に対応するプリセット電圧は充電カットオフ電圧であり、充電カットオフ電圧はバッテリーの定格電圧よりも高い。
プロセッサ７０３は、Ｋ段階の定電流充電における各々の定電流充電段階で、バッテリーに印加された充電電圧と複数のセルのそれぞれの両端の電圧を検出するために用いられる。
プロセッサ７０３は、充電電圧及び/又は複数のセルのいずれかの両端の電圧が、この定電流充電段階に対応するプリセット電圧より高い場合、被充電機器が次の定電流充電段階に進むように制御するために用いられる。
【０１１４】
本出願の実施形態に係わるメモリ７０２は、揮発性メモリ又は不揮発性メモリであることができるか、又は揮発性メモリ及び不揮発性メモリの両方を含むことができる。不揮発性メモリは、読み取り専用メモリ（Ｒｅａｄ-Ｏｎｌｙ  Ｍｅｍｏｒｙ，ＲＯＭ）、プログラム可能な読み取り専用メモリ（Ｐｒｏｇｒａｍｍａｂｌｅ  Ｒｅａｄ-Ｏｎｌｙ  Ｍｅｍｏｒｙ, ＰＲＯＭ）、消去可能なプログラム可能な読み取り専用メモリ（Ｅｒａｓａｂｌｅ  Ｐｒｏｇｒａｍｍａｂｌｅ  Ｒｅａｄ-Ｏｎｌｙ  Ｍｅｍｏｒｙ, ＥＰＲＯＭ）、電気的に消去可能なプログラム可能な読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ-Ｏｎｌｙ  Ｍｅｍｏｒｙ, ＥＥＰＲＯＭ）又はフラッシュメモリ（Ｆｌａｓｈ  Ｍｅｍｏｒｙ）であることができる。揮発性メモリは、外部高速キャッシュとして機能するランダムアクセスメモリ（Ｒａｎｄｏｍ Ａｃｃｅｓｓ Ｍｅｍｏｒｙ，ＲＡＭ）であることができる。例示的であるが限定的ではない例として、多い形式のＲＡＭが利用可能であり、例えば、スタティックランダムアクセスメモリ（Ｓｔａｔｉｃ  Ｒａｎｄｏｍ  Ａｃｃｅｓｓ  Ｍｅｍｏｒｙ，ＳＲＡＭ）、ダイナミックランダムアクセスメモリ（Ｄｙｎａｍｉｃ  Ｒａｎｄｏｍ  Ａｃｃｅｓｓ  Ｍｅｍｏｒｙ，ＤＲＡＭ）、同期ダイナミックランダムアクセスメモリ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ，ＳＤＲＡＭ）、ダブルデータレート同期ダイナミックランダムアクセスメモリ（Ｄｏｕｂｌｅ Ｄａｔａ Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ，ＤＤＲＳＤＲＡＭ）、拡張同期ダイナミックランダムアクセスメモリ（Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ，ＥＳＤＲＡＭ）、同期接続ダイナミックランダムアクセスメモリ（Ｓｙｎｃｈ-ｌｉｎｋ  Ｄｙｎａｍｉｃ  Ｒａｎｄｏｍ  Ａｃｃｅｓｓ  Ｍｅｍｏｒｙ，ＳＬＤＲＡＭ）、ダイレクトランバスランダムアクセスメモリ（Ｄｉｒｅｃｔ Ｒａｍｂｕｓ  Ｒａｎｄｏｍ  Ａｃｃｅｓｓ  Ｍｅｍｏｒｙ，ＤＲＲＡＭ）である。本明細書に記載されたシステム及び方法のメモリ７０２は、これら及び他の任意の適切なタイプのメモリを含むことができるが、これらに限定されない。
【０１１５】
プロセッサ７０３は、信号処理機能を有する集積回路チップであることができる。実施過程において、上述した方法の各ステップは、プロセッサ７０３のハードウェアの集積論理回路（ｉｎｔｅｇｒａｔｅｄ ｌｏｇｉｃ ｃｉｒｃｕｉｔ）又はソフトウェア形式の命令によって完成することができる。プロセッサ７０３は、汎用プロセッサ、デジタル信号プロセッサ（Ｄｉｇｉｔａｌ Ｓｉｇｎａｌ Ｐｒｏｃｅｓｓｏｒ，ＤＳＰ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ Ｐｒｏｇｒａｍｍａｂｌｅ Ｇａｔｅ Ａｒｒａｙ，ＦＰＧＡ）又は他のプログラマブルロジックデバイス、ディスクリートゲート又はトランジスタロジックデバイス、ディスクリートハードウェアコンポーネントであることができる。本出願の実施例で開示された方法、ステップ及び論理ブロック図を実現又は実行することができる。汎用プロセッサはマイクロプロセッサであることができ、又はプロセッサは任意の従来のプロセッサなどであることができる。本出願の実施例で開示された方法のステップは、直接にハードウェア復号化プロセッサによって実行することができるか、又は復号化プロセッサ内のハードウェア及びソフトウェアモジュールの組合せによって実行することができる。ソフトウェアモジュールは、ＲＡＭ、フラッシュメモリ、ＲＯＭ、ＰＲＯＭ又は電気的に消去可能なプログラム可能なメモリ、レジスタなどの記憶媒体にあることができる。記憶媒体はメモリ７０２に位置する。プロセッサ７０３は、メモリ７０２内の情報を読み取り、そのハードウェアとともに上述したの方法のステップを完成する。
【０１１６】
本明細書に記載されたこれらの実施形態は、ハードウェア、ソフトウェア、ファームウェア、ミドルウェア、マイクロコード又はその組合によって実現することができる。ハードウェアによって実現する場合、処理ユニットは、１つ以上の特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔｓ，ＡＳＩＣ）、デジタル信号プロセッシング（Ｄｉｇｉｔａｌ Ｓｉｇｎａｌ Ｐｒｏｃｅｓｓｉｎｇ，ＤＳＰ）、ＤＳＰデバイス（ＤＳＰ Ｄｅｖｉｃｅ，ＤＳＰＤ）、プログラマブルロジックデバイス（Ｐｒｏｇｒａｍｍａｂｌｅ Ｌｏｇｉｃ Ｄｅｖｉｃｅ，ＰＬＤ）、フィールドプログラマブルゲートアレイ（Ｆｉｅｌｄ-Ｐｒｏｇｒａｍｍａｂｌｅ Ｇａｔｅ Ａｒｒａｙ，ＦＰＧＡ）、汎用プロセッサ、コントローラ、マイクロコントローラ、マイクロプロセッサ、本出願に記載された機能を実行するための他の電子ユニット又はそれらの組み合わせで実現されることができる。
【０１１７】
ソフトウェアによって実現する場合、本明細書に記載された機能モジュール（例えば、プロセス、関数など）を実行することにより、本明細書に記載された技術を実現することができる。ソフトウェアコードはメモリに格納されて、プロセッサによって実行することができる。メモリは、プロセッサ内又はプロセッサの外部で実現することができる。
【０１１８】
選択的には、他の実装形態として、プロセッサ７０３は、コンピュータプログラムを実行するとき、図３に示された技術方案の方法を実行するために用いられる。
【０１１９】
図８は、本発明の別の実施形態に係わる被充電機器８０の構造を示す概略図であるである。図８に示されたように、被充電機器８０は、少なくとも前述した実施形態のいずれかに記載された充電制御装置６０を含む。
【０１２０】
本出願の実施例に記載された技術方案は、矛盾がないかぎり任意に組み合わせることができる。
【０１２１】
上述したのは、ただ本願の具体的な実施形態であり、本願の保護範囲はこれに限定されるものではない。当業者であれば、本願に開示された技術範囲内で変更又は置換を容易に想到しうることであり、全て本出願の範囲内に含まれるべきである。従って本願の保護範囲は特許請求の範囲によって決めるべきである。
【産業上の利用可能性】
【０１２２】
本出願の実施形態において、充電制御方法は被充電機器に適用され、被充電機器内のバッテリーは複数のセルを含む。被充電機器の充電過程において、被充電機器内のバッテリーに対してＫ段階の定電流充電を行う。Ｋは１以上の正整数である。Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電する。Ｋ段階の定電流充電における各々の定電流充電段階で、バッテリーに印加された充電電圧と複数のセルのそれぞれの両端の電圧を検出する。充電電圧及び/又は複数のセルのいずれかの両端の電圧がこの定電流充電段階に対応するプリセット電圧より高い場合、被充電機器が次の定電流充電段階に進むように制御する。この充電過程は複数のセルを含むバッテリーに適用され、多段定電流充電を使用して定電流充電過程をできるだけ延長することにより、充電過程全体の充電時間を短縮し、充電速度を向上させる。
【図１】
2022500990.tif 000003
【図２】
2022500990.tif 000004
【図３】
2022500990.tif 000005
【図４】
2022500990.tif 000006
【図５】
2022500990.tif 000007
【図６】
2022500990.tif 000008
【図７】
2022500990.tif 000009
【図８】
2022500990.tif 000010
【手続補正書】
【提出日】令和3年3月17日(2021.3.17)
【手続補正１】
【補正対象書類名】明細書
【補正対象項目名】全文
【補正方法】変更
【補正の内容】
【発明の詳細な説明】
【技術分野】
【０００１】
本出願の実施形態は、充電技術分野に関し、さらに具体的に、充電制御方法及び装置、コンピューター記憶媒体に関する。
【背景技術】
【０００２】
現在、電子装置の充電手順は、トリクル充電段階、定電流充電段階及び定電圧充電段階に分けることができる。既存の充電手順によれば、システムによってバッテリーの電圧が定電流充電に対応する閾値電圧に達したことを検出した後、充電手順は定電圧充電に進み、且つ充電カットオフ条件を満たして充電を終了するまで、定電圧充電を維持する。定電圧充電過程全体における充電電圧は、バッテリーの定格電圧を超えない。このように、定電流充電時間は短いので、定電圧充電時間は長く、充電時間全体が長すぎて、時間を浪費し、且つ充電速度が低下する。
【発明の概要】
【０００３】
これを考慮して、本出願の実施形態は、充電制御方法及び装置、コンピューター記憶媒体を提供し、マルチセル構造のバッテリーシナリオでは、多段定電流充電を使用して定電流充電時間をできるだけ延長することにより、充電時間全体を短縮し、充電速度を向上させる。
【０００４】
第一態様において、充電制御方法が提供される。充電制御方法は、被充電機器に適用され、被充電機器内のバッテリーは複数のセルを含む。充電制御方法は、
被充電機器の充電過程において、被充電機器内のバッテリーに対してＫ段階の定電流充電を行うことと、Ｋは１以上の正整数であり、
Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電することと、第Ｋ番目の定電流充電段階に対応するプリセット電圧は充電カットオフ電圧であり、充電カットオフ電圧はバッテリーの定格電圧よりも高く、
Ｋ段階の定電流充電における各々の定電流充電段階で、バッテリーに印加された充電電圧と複数のセルのそれぞれの両端の電圧を検出することと、
充電電圧及び/又は複数のセルのいずれかの両端の電圧が、この定電流充電段階に対応するプリセット電圧より高い場合、被充電機器が次の定電流充電段階に進むように制御することと、
を含む。  
【０００５】
上述した方案において、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電することは、
前の（Ｋ−１）段階のうちの第ｉ番目の定電流充電段階では、バッテリーの電圧が第ｉプリセット電圧に達するまで、第ｉプリセット電流でバッテリーに対して定電流充電することと、
第Ｋ番目の定電流充電段階では、バッテリーの電圧が第Ｋプリセット電圧に達するまで、第Ｋプリセット電流でバッテリーに対して定電流充電することと、
を含み、
ｉは１以上且つ（Ｋ−１）以下の正整数であり、第（ｉ＋１）プリセット電流は第ｉプリセット電流より小さく、第Ｋプリセット電流は第（Ｋ−１）プリセット電流より小さく、第Ｋプリセット電圧は充電カットオフ電圧である。
【０００６】
上述した方案において、第ｉ番目の定電流充電段階では、充電電圧及び/又は複数のセルのいずれかの両端の電圧がこの定電流充電段階に対応するプリセット電圧より高い場合、被充電機器が次の定電流充電段階に進むように制御することは、
検出されたバッテリーの充電電圧に基づいて、充電電圧が第ｉプリセット電圧より高いか否かを判断することと、ここで、第ｉプリセット電圧は第ｉ番目の定電流充電段階のバッテリーのプリセット閾値電圧を表し、
検出された複数のセルのそれぞれの両端の電圧に基づいて、いずれか１つのセルの両端の電圧が第ｉプリセットセル電圧より高いか否かを判断することと、ここで、第ｉプリセットセル電圧は第ｉ番目の定電流充電段階の単一セルのプリセット閾値電圧を表し、
充電電圧が第ｉプリセット電圧より高い場合及び/又は複数のセルのいずれかの両端の電圧が第ｉプリセットセル電圧より高い場合、被充電機器が第（ｉ＋１）番目の定電流充電段階に進むように制御して、第ｉ番目の定電流充電段階で検出された複数のセルのそれぞれの両端の電圧が第ｉプリセットセル電圧を超えないようにすることと、
を含む。
【０００７】
上述した方案において、被充電機器が次の定電流充電段階に進むように制御した後、充電制御方法は、さらに、
第Ｋ番目の定電流充電段階では、バッテリーの充電電圧が充電カットオフ電圧より高いことが検出された場合及び/又は複数のセルのいずれかの両端の電圧が第Ｋプリセットセル電圧より高いことが検出された場合、バッテリーの充電を終了するか、又は充電カットオフ電圧をバッテリーに印加して定電圧充電すること、を含む。
【０００８】
上述した方案において、第ｉ番目の定電流充電段階では、バッテリーの電圧が第ｉプリセット電圧に達するまで、第ｉプリセット電流でバッテリーに対して定電流充電することは、
複数のセルの構造を判断することと、
複数のセルが直列に接続されている場合、第ｉ番目の定電流充電段階では、バッテリーの電圧が第ｉプリセットセル電圧のＮ倍に達するまで、第ｉプリセット電流でバッテリーに対して定電流充電することと、Ｎは複数のセルのセル数を表し、且つＮは１より大きい正整数であり、
複数のセルが並列に接続されている場合、第ｉ番目の定電流充電段階では、バッテリーの電圧が第ｉプリセットセル電圧に達するまで、第ｉプリセット電流でバッテリーに対して定電流充電することと、
を含む。
【０００９】
上述した方案において、複数のセルが直列に接続されている場合、第ｉ番目の定電流充電段階では、バッテリーの電圧が第ｉプリセットセル電圧のＮ倍に達するまで、第ｉプリセット電流でバッテリーに対して定電流充電してから、充電制御方法は、さらに、
第ｉプリセットセル電圧のＮ倍をバッテリーに印加して定電圧充電することと、
バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御して、第（ｉ＋１）プリセット電流でバッテリーに対して定電流充電することと、
を含む。
【００１０】
上述した方案において、複数のセルが並列に接続されている場合、第ｉ番目の定電流充電段階では、バッテリーの電圧が第ｉプリセットセル電圧に達するまで、第ｉプリセット電流でバッテリーに対して定電流充電してから、充電制御方法は、さらに、
第ｉプリセットセル電圧をバッテリーに印加して定電圧充電することと、
バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御して、第（ｉ＋１）プリセット電流でバッテリーに対して定電流充電することと、
を含む。
【００１１】
上述した方案において、複数のセルが直列に接続されている場合、第Ｋ番目の定電流充電段階では、充電制御方法は、バッテリーの充電電圧が第Ｋプリセットセル電圧のＮ倍と等しいことが検出されると、バッテリの充電を終了することをさらに含む。第Ｋプリセットセル電圧のＮ倍は、充電カットオフ電圧である。
【００１２】
上述した方案において、複数のセルが直列に接続されている場合、充電制御方法は、
第Ｋ番目の定電流充電段階では、バッテリーの充電電圧が第Ｋプリセットセル電圧のＮ倍と等しいことが検出されると、第Ｋプリセットセル電圧のＮ倍をバッテリーに印加して定電圧充電することと、
第Ｋ番目の定電流充電段階では、バッテリーの充電電流が充電カットオフ電流より小さいことが検出されると、バッテリーの充電を終了することと、
をさらに含む。
【００１３】
上述した方案において、複数のセルが並列に接続されている場合、充電制御方法は、第Ｋ番目の定電流充電段階では、バッテリーの充電電圧が第Ｋプリセットセル電圧と等しいことが検出されると、バッテリーの充電を終了することをさらに含む。ここで、第Ｋプリセットセル電圧は、充電カットオフ電圧である。
【００１４】
上述した方案において、複数のセルが並列に接続されている場合、充電制御方法は、
第Ｋ番目の定電流充電段階では、バッテリーの充電電圧が第Ｋプリセットセル電圧と等しいことが検出されると、第Ｋプリセットセル電圧をバッテリーに印加して定電圧充電することと、
第Ｋ番目の定電流充電段階では、バッテリーの充電電流が充電カットオフ電流よりも小さいことが検出されると、バッテリーの充電を終了することと、
をさらに含む。
【００１５】
上述した方案において、第ｉプリセットセル電圧は単一セルの定格電圧より高い。
【００１６】
上述した方案において、被充電機器の充電モードは無線充電モード及び有線充電モードを含み、充電制御方法は、充電モードを選択することによって、無線充電モード又は有線充電モードでバッテリーを充電するように、被充電機器を制御することをさらに含む。
【００１７】
第二態様において、充電制御装置が提供される。充電制御装置は、被充電機器に適用可能であり、被充電機器内のバッテリーは複数のセルを含む。充電制御装置は、充電ユニット、検出ユニット及び制御ユニットを含む。
充電ユニットは、被充電機器の充電過程において、被充電機器内のバッテリーに対してＫ段階の定電流充電を行うために用いられ、Ｋは１以上の正整数であり、
充電ユニットは、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電するために用いられ、第Ｋ番目の定電流充電段階に対応するプリセット電圧は充電カットオフ電圧であり、充電カットオフ電圧はバッテリーの定格電圧よりも高く、
検出ユニットは、Ｋ段階の定電流充電における各々の定電流充電段階で、バッテリーに印加された充電電圧と複数のセルのそれぞれの両端の電圧を検出するために用いられ、
制御ユニットは、充電電圧及び/又は複数のセルのいずれかの両端の電圧が、この定電流充電段階に対応するプリセット電圧より高い場合、被充電機器が次の定電流充電段階に進むように制御するために用いられる。
【００１８】
上述した方案において、充電ユニットは、具体的に、前の（Ｋ−１）段階のうちの第ｉ番目の定電流充電段階では、バッテリーの電圧が第ｉプリセット電圧に達するまで、第ｉプリセット電流でバッテリーに対して定電流充電するために用いられ、ｉは１以上且つ（Ｋ−１）以下の正整数であり、第（ｉ＋１）プリセット電流は第ｉプリセット電流より小さい。充電ユニットは、さらに、第Ｋ番目の定電流充電段階では、バッテリーの電圧が第Ｋプリセット電圧に達するまで、第Ｋプリセット電流でバッテリーに対して定電流充電するために用いられ、第Ｋプリセット電流は第（Ｋ−１）プリセット電流より小さく、第Ｋプリセット電圧は充電カットオフ電圧である。
【００１９】
上述した方案において、第ｉ番目の定電流充電段階では、制御ユニットは、具体的に、検出されたバッテリーの充電電圧に基づいて、充電電圧が第ｉプリセット電圧より高いか否かを判断し、ここで、第ｉプリセット電圧は第ｉ番目の定電流充電段階のバッテリーのプリセット閾値電圧を表し、検出された複数のセルのそれぞれの両端の電圧に基づいて、いずれか１つのセルの両端の電圧が第ｉプリセットセル電圧より高いか否かを判断し、ここで、第ｉプリセットセル電圧は第ｉ番目の定電流充電段階の単一セルのプリセット閾値電圧を表し、充電電圧が第ｉプリセット電圧より高い場合及び/又は複数のセルのいずれかの両端の電圧が第ｉプリセットセル電圧より高い場合、被充電機器が第（ｉ＋１）番目の定電流充電段階に進むように制御して、第ｉ番目の定電流充電段階で検出された複数のセルのそれぞれの両端の電圧が第ｉプリセットセル電圧を超えないようにするために用いられる。
【００２０】
上述した方案において、第Ｋ番目の定電流充電段階では、検出ユニットによってバッテリーの充電電圧が充電カットオフ電圧より高いことが検出された場合及び/又は複数のセルのいずれかの両端の電圧が第Ｋプリセットセル電圧より高いことが検出された場合、制御ユニットは、さらに、バッテリーの充電を終了するか、又は充電カットオフ電圧をバッテリーに印加して定電圧充電するために用いられる。
【００２１】
上述した方案において、制御ユニットは、さらに複数のセルの構造を判断するために用いられる。
充電ユニットは、具体的に、複数のセルが直列に接続されている場合、第ｉ番目の定電流充電段階では、バッテリーの電圧が第ｉプリセットセル電圧のＮ倍に達するまで、第ｉプリセット電流でバッテリーに対して定電流充電するために用いられ、Ｎは複数のセルのセル数を表し、且つＮは１より大きい正整数である。充電ユニット１は、さらに、複数のセルが並列に接続されている場合、第ｉ番目の定電流充電段階では、バッテリーの電圧が第ｉプリセットセル電圧に達するまで、第ｉプリセット電流でバッテリーに対して定電流充電するために用いられる。
【００２２】
上述した方案において、複数のセルが直列に接続されている場合、充電ユニットは、さらに、第ｉプリセットセル電圧のＮ倍をバッテリーに印加して定電圧充電するために用いられ、
制御ユニットは、さらに、バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御して、第（ｉ＋１）プリセット電流でバッテリーに対して定電流充電するようにするために用いられる。
【００２３】
上述した方案において、複数のセルが並列に接続されている場合、充電ユニットは、さらに、第ｉプリセットセル電圧をバッテリーに印加して定電圧充電するために用いられ、
制御ユニットは、さらに、バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御して、第（ｉ＋１）プリセット電流でバッテリーに対して定電流充電するために用いられる。
【００２４】
上述した方案において、複数のセルが直列に接続されている場合、制御ユニットは、さらに、バッテリーの充電電圧が第Ｋプリセットセル電圧のＮ倍と等しいことが検出されると、バッテリの充電を終了するために用いられ、第Ｋプリセットセル電圧のＮ倍は、充電カットオフ電圧である。
【００２５】
上述した方案において、複数のセルが直列に接続されている場合、充電ユニットは、さらに、バッテリーの充電電圧が第Ｋプリセットセル電圧のＮ倍と等しいことが検出されると、第Ｋプリセットセル電圧のＮ倍をバッテリーに印加して定電圧充電するために用いられ、
制御ユニットは、さらに、バッテリーの充電電流が充電カットオフ電流より小さいことが検出されると、バッテリーの充電を終了するために用いられる。
【００２６】
上述した方案において、複数のセルが並列に接続されている場合、制御ユニットは、さらに、バッテリーの充電電圧が第Ｋプリセットセル電圧と等しいことが検出されると、バッテリーの充電を終了するために用いられ、第Ｋプリセットセル電圧は充電カットオフ電圧である。
【００２７】
上述した方案において、複数のセルが並列に接続されている場合、充電ユニットは、さらに、バッテリーの充電電圧が第Ｋプリセットセル電圧と等しいことが検出されると、第Ｋプリセットセル電圧をバッテリーに印加して定電圧充電するために用いられ、
制御ユニットは、さらに、バッテリーの充電電流が充電カットオフ電流よりも小さいことが検出されると、バッテリーの充電を終了するために用いられる。
【００２８】
上述した方案において、第ｉプリセットセル電圧は単一セルの定格電圧より高い。
【００２９】
上述した方案において、被充電機器の充電モードは、無線充電モード及び有線充電モードを含み、制御ユニットは、さらに、充電モードを選択することによって、無線充電モード又は有線充電モードでバッテリーを充電するように、被充電機器を制御するために用いられる。
【００３０】
第三態様において、充電制御装置が提供される。充電制御装置は、メモリ及びプロセッサを含み、メモリにはプロセッサで実行可能なコンピュータプログラムが格納されており、コンピュータプログラムがプロセッサによって実行されると、第一態様のいずれか一項に記載の充電制御方法を実行する。
【００３１】
第四態様において、充電制御プログラムが格納されたコンピュータ記憶媒体が提供される。充電制御プログラムが少なくとも１つのプロセッサによって実行されると、第一態様のいずれか一項に記載の充電制御方法を実行する。
【００３２】
第五態様において、被充電機器が提供される。被充電機器は、第二態様のいずれか一項に記載の充電制御装置、又は第三態様に記載の充電制御装置を含む。
【００３３】
本出願の実施形態は、充電制御方法及び装置、コンピューター記憶媒体を提供する。充電制御方法は、被充電機器に適用され、被充電機器内のバッテリーは複数のセルを含む。被充電機器の充電過程において、被充電機器内のバッテリーに対してＫ段階の定電流充電を行う。Ｋは１以上の正整数である。Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電する。Ｋ段階の定電流充電における各々の定電流充電段階で、バッテリーに印加された充電電圧と複数のセルのそれぞれの両端の電圧を検出する。充電電圧及び/又は複数のセルのいずれかの両端の電圧が、この定電流充電段階に対応するプリセット電圧より高い場合、被充電機器が次の定電流充電段階に進むように制御する。この充電過程は複数のセルを含むバッテリーに適用され、多段定電流充電を使用して定電流充電過程をできるだけ延長することにより、充電過程全体の充電時間を短縮し、充電速度を向上させる。
【図面の簡単な説明】
【００３４】
【図１】図１は、関連技術における階段状の充電技術の概略図である。
【図２】図２は、本発明の実施形態に係わる被充電機器の構造を示す概略図であるである。
【図３】図３は、本発明の実施形態に係わる充電制御方法のフローチャートである。
【図４】図４は、本発明の実施形態に係わる充電制御技術の概略図である。
【図５】図５は、本発明の別の実施形態に係わる充電制御技術の概略図である。
【図６】図６は、本発明の実施形態に係わる充電制御装置の構造を示す概略図である。
【図７】図７は、本発明の実施形態に係わる充電制御装置の具体的なハードウェア構造を示す概略図である。
【図８】図８は、本発明の別の実施形態に係わる被充電機器の構造を示す概略図であるである。
【発明を実施するための形態】
【００３５】
本出願の実施形態の特徴及び技術的内容を詳細に理解するために、以下、添付された図面を参照して本出願の実施形態を詳細に説明する。添付された図面は、ただ本出願を説明するために用いられ、本出願の実施形態を制限することを意図したものではない。
【００３６】
充電技術の急速な発展に伴い、現在、充電技術には主に有線充電技術と無線充電技術が含まれる。ユーザが被充電機器を充電する際、充電用の充電ケーブルを介して被充電機器と充電装置（例えば、異なるタイプのアダプタである）を接続して、被充電機器の充電を実現することは、有線充電技術と呼ばれる。しかしながら、充電ケーブルを失った場合、又は被充電機器と充電装置との間の特定の距離が望まれる場合、無線充電技術によって被充電機器を充電することができる。無線充電技術は、無線電力伝送技術に基づく、異なる無線充電原理によって、無線充電モードには、主に電磁誘導（又は磁気結合）モード、無線電波モード、電磁共振モードが含まれる。被充電機器が電磁誘導モードの無線充電技術を採用することを例に挙げると、エネルギーは被充電機器と充電装置（例えば、無線充電ベースである）との間で磁場の形で伝達され、充電ケーブルなしで被充電機器を充電することができる。
【００３７】
有線充電技術又は無線充電技術に係わらず、現在、充電手順には、一般的にに、定電流（ｃｏｎｓｔａｎｔ-ｃｕｒｒｅｎｔ，ＣＣ）充電段階と定電圧（ｃｏｎｓｔａｎｔ-ｖｏｌｔａｇｅ，ＣＶ）充電段階が含まれる。定電圧充電段階は、充電時間が長い充電段階である。もし充電過程における定電圧充電時間を効果的に短縮できると、被充電機器内のバッテリーの充電速度が大幅に向上させることができる。これは現在研究されている重要な課題であり、本出願の実施形態で解決しようとする技術問題である。
【００３８】
関連技術において、従来の充電手順は、先ず、バッテリーの両端の電圧が閾値電圧に達するまで、定電流充電電流でバッテリーを充電し、閾値電圧はバッテリーの定格電圧を超えない。次に、閾値電圧下で定電圧充電を行って、充電過程全体で充電電圧はバッテリーの定格電圧を超えない。定電流充電時間は短いので、定電圧充電時間は長く、充電時間全体が長くなる。
【００３９】
充電時間全体を短縮するために、急速充電方式としての階段状の充電技術の人気が高まっている。既存の階段状の充電技術は、ただ単一セルのバッテリーシナリオに適用され、且つ依然として定電圧充電段階を保留する。段階的充電の原理は、以下のとおりである。被充電機器の充電過程において、先ず、バッテリーの両端の電圧が第一閾値電圧に達するまで、第一充電電流で定電流充電を行う。次に、第一充電電流を第二充電電流に減らし、バッテリーの両端の電圧が第二閾値電圧に達するまで、第二充電電流で定電流充電を行う。充電電流を徐々に減らし、上記の手順を繰り返す。バッテリーの両端の電圧が第ｎ閾値電圧（第ｎ閾値電圧はバッテリーの定格電圧を超えない）に達するまで、第ｎ充電電流で定電流充電を行うとき、充電電流がバッテリーのカットオフ電流まで減少するまで、最後に第ｎ充電電圧で定電圧充電する。ｎは１以上の正整数である。
【００４０】
図１は、関連技術における階段状の充電技術の概略図である。図１に示されたように、横軸は時間（Ｔ）を表し、縦軸は充電電流（Ｉ）を表す。先ず、第一充電電流Ｉ１で定電流充電して、第一充電時間ｔ１を経過した後、バッテリーの両端の電圧が第一閾値電圧Ｖ１に達する。次に、第一充電電流Ｉ１を第二充電電流Ｉ２に減らし、第二充電電流Ｉ２で定電流充電して、第二充電時間ｔ２を経過した後、バッテリーの両端の電圧が第二閾値電圧Ｖ２に達する。充電電流を徐々に減らし、上記の手順を繰り返す。バッテリーの両端の電圧が第ｎ閾値電圧Ｖｎ（充電カットオフ電圧Ｖｅｎｄ）に達するまで、第ｎ充電電流Ｉｎで定電流充電してから、充電電流が充電カットオフ電流Ｉｅｎｄまで減少するまで、第ｎ閾値電圧Ｖｎで定電圧充電する。ここで、Ｖ１、Ｖ２、…、Ｖｎはすべてバッテリーの定格電圧を超えない。
【００４１】
関連技術において、階段状の充電技術が提案されているが、階段状の充電技術は、複数のセルを含むバッテリーには適用できなく、充電過程で依然として定電流充電と定電圧充電を結合した方式を採用し、定電圧充電段階全体の充電電圧はバッテリーの定格電圧を超えなく、従って被充電機器の充電時間をさらに短くすることが望ましい。
【００４２】
上記に基づいて、本出願の実施形態は充電制御方法を提供する。充電制御方法は、被充電機器に適用され、被充電機器内のバッテリーは複数のセルを含む。充電制御方法は、被充電機器の充電過程において、被充電機器内のバッテリーに対してＫ段階（第一番目の定電流充電段階、第二番目の定電流充電段階、…、第（Ｋ−１）番目の定電流充電段階、第Ｋ番目の定電流充電段階）定電流充電を行うことと、Ｋは１以上の正整数であり、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電することと、Ｋ段階の定電流充電における各々の定電流充電段階で、バッテリーに印加された充電電圧と複数のセルのそれぞれの両端の電圧を検出することと、充電電圧及び/又は複数のセルのいずれかの両端の電圧が、この定電流充電段階に対応するプリセット電圧より高い場合、被充電機器が次の定電流充電段階に進むように制御することと、を含む。この充電過程は複数のセルを含むバッテリーに適用され、多段定電流充電を使用して定電流充電過程をできるだけ延長することにより、充電過程全体の充電時間を短縮し、充電速度を向上させる。
【００４３】
被充電機器は、端末であることができる。端末は、有線回線によって接続される装置及び/又は無線インタフェースを介して通信信号を受信/送信する装置であることができるが、これらに限定されるものではない。有線回線は、例えば、公衆交換電話網（ｐｕｂｌｉｃ ｓｗｉｔｃｈｅｄ ｔｅｌｅｐｈｏｎｅ ｎｅｔｗｏｒｋ, ＰＳＴＮ）、デジタル加入者線（ｄｉｇｉｔａｌ ｓｕｂｓｃｒｉｂｅｒ ｌｉｎｅ, ＤＳＬ）、デジタルケーブル、直接接続ケーブル、及び/又は他のデータ接続ライン又はネットワーク接続ラインであることができる。無線インターフェースは、例えば、セルラーネットワーク、無線ローカルエリアネットワーク（ｗｉｒｅｌｅｓｓ ｌｏｃａｌ ａｒｅａ ｎｅｔｗｏｒｋ，ＷＬＡＮ）、デジタルビデオ放送ハンドヘルド（ｄｉｇｉｔａｌ ｖｉｄｅｏ ｂｒｏａｄｃａｓｔｉｎｇ ｈａｎｄｈｅｌｄ，ＤＶＢ-Ｈ）ネットワークのようなデジタルテレビネットワーク、衛星ネットワーク、振幅変調周波数変調（ａｍｐｌｉｔｕｄｅ ｍｏｄｕｌａｔｉｏｎ-ｆｒｅｑｕｅｎｃｙ ｍｏｄｕｌａｔｉｏｎ, ＡＭ−ＦＭ）放送送信機、及び/又は他の通信端末と通信することであることができる。無線インタフェースを介して通信するように構成された端末は、「無線通信端末」、「無線端末」、及び/又は「移動端末」と呼ぶことができる。移動端末の例としては、携帯電話、タブレットコンピュータ、ノートブックコンピュータ、ハンドヘルドコンピュータ、パーソナルデジタルアシスタント（Ｐｅｒｓｏｎａ  Ｄｉｇｉｔａｌ Ａｓｓｉｓｔａｎｔ, ＰＤＡ）、ポータブルメディアプレーヤー（ｐｏｒｔａｂｌｅ  ｍｅｄｉａ  ｐｌａｙｅｒ，ＰＭＰ）、ナビゲーションデバイスなどのモバイル端末デバイスが含まれ得るが、これらに限定されなく、デジタルＴＶ、デスクトップコンピュータなどの固定端末デバイスを含むこともできる。さらに、本出願の実施形態で使用される被充電機器は、さらにパワーバンクを含むことができる。パワーバンクは、他の電子デバイスにエネルギーを提供するために、受信された充電エネルギーを貯蔵することができる。本出願の実施形態において、これに対して具体的に限定しない。
【００４４】
図２は、本発明の実施形態に係わる被充電機器の構造を示す概略図であるである。図２に示されたように、被充電機器２０は、無線充電受信ユニット２０１、有線充電接続ユニット２０２、充電管理ユニット２０３、制御ユニット２０４、検出ユニット２０５及びバッテリー２０６を含む。当業者であれば、図２に示された被充電機器２０の構造は、被充電機器の構造に対するいかなる制限を構成しないことを理解することができる。被充電機器は、図示されているよりも多い又は少ないコンポーネントを含み得るか、又は特定のコンポーネントを組み合わせるか、又は異なる配置を有することができる。
【００４５】
いくつかの実施形態において、無線充電受信ユニット２０１及び有線充電接続ユニット２０２は被充電機器２０に同時に含まれなくてもよい。被充電機器２０がただ無線充電モードを支持する場合、被充電機器ス２０は無線充電受信ユニット２０１のみを含むことができる。被充電機器２０がただ有線充電モードを指示する場合、被充電機器２０は有線充電接続ユニット２０２のみを含むことができる。被充電機器２０が無線充電モード及び有線充電モードの両方を支持する場合、被充電機器２０は無線充電受信ユニット２０１及び有線充電接続ユニット２０２の両方を含むことができ、本出願の実施形態はこれに対して具体的に限定しない。
【００４６】
さらに、外部有線充電装置（アダプタなど）は、充電ケーブルを介して被充電機器２０に有線接続されることができる。具体的には、外部有線充電装置は、充電ケーブルを介して有線充電接続ユニット２０２に接続される。外部有線充電装置と有線充電接続ユニット２０２は、ハンドシェイク通信プロトコルに基づく充電交渉のために互いに通信することができる。外部無線充電装置（無線充電ベースなど）は、電磁誘導を介し被充電機器２０に無線接続されることができる。具体的には、外部無線充電装置は、その内部の無線充電送信ユニットによって、電磁誘導を介して無線充電受信ユニット２０１に無線接続されて、無線通信を行う。
【００４７】
いくつかの実施形態において、無線通信方式は、Ｂｌｕｅｔｏｏｔｈ、無線忠実度（ｗｉｒｅｌｅｓｓ  ｆｉｄｅｌｉｔｙ，ＷｉＦｉ）通信、高キャリア周波数に基づく近距離無線通信（ＮＦＣ）、光通信、超音波通信、超広帯域通信及び移動通信などを含むが、これらに限定されない。本出願の実施形態はこれに対して具体的に限定しない。
【００４８】
いくつかの実施形態において、無線充電受信ユニット２０１は、受信コイル及びＡＣ/ＤＣ変換ユニットを含む。無線充電受信ユニット２０１は、受信コイルによって無線充電装置から送信された無線充電信号を交流（ＡＣ）に変換し、ＡＣ/ＤＣ変換ユニットによってＡＣを整流及び/又はフィルタリングすることにより、ＡＣを安定な直流（ＤＣ）に変換してからバッテリー２０６に提供して、バッテリー２０６を充電するために用いられる。
【００４９】
いくつかの実施形態において、有線充電接続ユニット２０２は、ユニバーサルシリアルバス（ＵＳＢ）インターフェースを含む。有線充電接続ユニット２０２は、有線充電装置に接続されて、有線充電装置から出力された直流電圧及び直流電流を受け取ってバッテリー２０６に提供して、バッテリー２０６を充電するために用いられる。
【００５０】
いくつかの実施形態において、充電管理ユニット２０３は、無線充電受信ユニット２０１から出力される直流電圧に対して昇圧又は降圧して、第一出力電圧及び第一出力電流を取得するために用いられる。第一出力電圧及び第一出力電流は、バッテリー２０６の充電要件を満たし、充電のためにバッテリー２０６に直接印加することができる。
【００５１】
いくつかの実施形態において、充電管理ユニット２０３は、有線充電接続ユニット２０２から出力された直流電圧に対して昇圧又は降圧して、第二出力電圧及び第二出力電流を取得するために用いられる。第二出力電圧及び第二出力電流は、バッテリー２０６の充電要件を満たし、充電のためにバッテリー２０６に直接印加することができる。
【００５２】
いくつかの実施形態において、充電管理ユニット２０３は、電圧変換ユニットを含む。電圧変換ユニットは、ブースト（ｂｏｏｓｔ）変換回路、バック（ｂｕｃｋ）変換回路、バックブースト（ｂｕｃｋ-ｂｏｏｓｔ）変換回路、又はロードロップアウト（ｌｏｗ-ｄｒｏｐｏｕｔ，ＬＤＯ）レギュレータであることができる。電圧変換ユニットは、チャージポンプ回路又は直接充電回路であることもできる。本出願の実施形態はこれに対して具体的に限定しない。
【００５３】
いくつかの実施形態において、制御ユニット２０４は、被充電機器２０が無線充電モードにあると確定した場合、充電管理ユニット２０３と無線充電受信ユニット２０１との間の経路をオンにする（すなわち、有効にする）ために用いられる。制御ユニット２０４は、さらに、被充電機器２０が有線充電モードにあると確定した場合、充電管理ユニット２０３と有線充電接続ユニット２０２との間の経路をオンにするために用いられる。
【００５４】
いくつかの実施形態において、制御ユニット２０４は、被充電機器２０内の独立したマイクロコントローラユニット（ｍｉｃｒｏｃｏｎｔｒｏｌｌｅｒ  ｕｎｉｔ，ＭＣＵ）であることができるので、制御の信頼性を向上させることができる。別の実施形態において、制御ユニット２０４は、被充電機器２０内のアプリケーションプロセッサ（ａｐｐｌｉｃａｔｉｏｎ  ｐｒｏｃｅｓｓｏｒ，ＡＰ）であることができるので、ハードウェアコストを節約することが可能である。本出願の実施形態はこれに対して具体的に限定しない。
【００５５】
検出ユニット２０５は、バッテリー２０６のバッテリー電圧及び/又はバッテリー電流を検出するために用いられる。バッテリー電圧及びバッテリー電流は、充電管理ユニット２０３とバッテリー２０６との間の電圧値及び/又はは電流値であることができ、即ち充電管理ユニット２０３の出力電圧及び/又は出力電流であることができる。
【００５６】
いくつかの実施形態において、検出ユニット２０５は、電圧検出ユニット及び電流検出ユニットを含むことができる。電圧検出ユニットは、バッテリー電圧をサンプリングして、サンプリングされたバッテリー電圧値を制御ユニット２０４に送信するために用いられる。いくつかの実施形態において、電圧検出ユニットは、例えば、電圧分割するために用いられる、直列に接続された少なくとも１つの抵抗器（「分圧抵抗器」又は「分圧器」）の助けを借りて、バッテリー電圧をサンプリングすることができる。電流検出ユニットは、バッテリー電流をサンプリングして、サンプリングされたバッテリー電流値を制御ユニット２０４に送信するために用いられる。いくつかの実施形態において、電流検出ユニットは、電流検出抵抗器（ｃｕｒｒｅｎｔ  ｓｅｎｓｉｎｇ  ｒｅｓｉｓｔｏｒ）及び電流検出器（ｃｕｒｒｅｎｔ  ｄｅｔｅｃｔｏｒ）を介してバッテリー電流をサンプリング及び検出することができる。
【００５７】
制御ユニット２０４は、さらに、無線充電装置と通信して、検出ユニット２０５によって検出された電圧値及び/又は電流値を無線充電装置にフィードバックするために用いられる。従って、無線充電装置はフィードバックされた電圧値及び/又は電流値に基づいてその送信電力を調整することにより、バッテリー電圧値及び/又はバッテリー電流値がバッテリー２０６の必要とする充電電圧値及び/又は充電電流値と一致するようにする。
【００５８】
図２に示された被充電機器に基づいて、以下、添付された図面を参照して本出願の各実施例を詳細に説明する。
【００５９】
図３は、本出願の実施形態に係わる充電制御方法のフローチャートである。充電制御方法は、被充電機器に適用され、被充電機器内のバッテリーは複数のセルを含む。充電制御方法は、以下の内容を含む。
【００６０】
Ｓ３０１、被充電機器の充電過程において、被充電機器内のバッテリーに対してＫ段階の定電流充電を行う。Ｋは１以上の正整数である。
【００６１】
Ｓ３０２、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電し、第Ｋ番目の定電流充電段階に対応するプリセット電圧は充電カットオフ電圧であり、充電カットオフ電圧はバッテリーの定格電圧よりも高い。
【００６２】
ここで使用される電圧と電流は以下のとおりである。
【００６３】
第ｉプリセット電流：第ｉ番目の定電流充電段階に対応するプリセット電流であり、第ｉ番目の定電流充電段階でバッテリーを充電するための充電電流であり、
2022500990.tif 000011
である。
【００６４】
第ｉプリセット電圧：第ｉ番目の定電流充電段階に対応するプリセット電圧であり、即ち第ｉ番目の定電流充電段階の閾値電圧であり、バッテリーの電圧が第ｉプリセット電圧に達すると、充電段階は第ｉ番目の定電流充電段階から第（ｉ＋１）番目の定電流充電段階に進み、
2022500990.tif 000012
である。
【００６５】
第Ｋプリセット電流：第Ｋ番目の定電流充電段階に対応するプリセット電流であり、第Ｋ番目の定電流充電段階でバッテリーを充電するための充電電流である。
【００６６】
第Ｋプリセット電圧：第Ｋ番目の定電流充電段階に対応するプリセット電圧であり、第Ｋ番目の定電流充電段階に対応するプリセット電圧は充電カットオフ電圧である。
【００６７】
第ｉプリセットセル電圧：第ｉ番目の定電流充電段階の単一セルのプリセット閾値電圧であり、いずれかのセルの電圧が第ｉプリセットセル電圧より高い場合、充電段階は第ｉ番目の定電流充電段階から第（ｉ＋１）番目の定電流充電段階に進む。
【００６８】
第Ｋプリセットセル電圧：第Ｋ番目の定電流充電段階の単一セルのプリセット閾値電圧であり、いずれかのセルの電圧が第Ｋプリセットセル電圧より高い場合、バッテリーの充電が終了される。
【００６９】
複数のセルが並列に接続されている場合、充電カットオフ電圧（つまり、第Ｋプリセット電圧）は第Ｋプリセットセル電圧と等しい。複数のセルが直列に接続されている場合、充電カットオフ電圧（つまり、第Ｋプリセット電圧）はＮ* 第Ｋプリセットセル電圧と等しい。Ｎはセルの数である。
【００７０】
Ｓ３０３、Ｋ段階の定電流充電における各々の定電流充電段階で、バッテリーに印加された充電電圧と複数のセルのそれぞれの両端の電圧を検出する。
【００７１】
Ｓ３０４、充電電圧及び/又は複数のセルのいずれかの両端の電圧が、この定電流充電段階に対応するプリセット電圧より高い場合、被充電機器が次の定電流充電段階に進むように制御する。
【００７２】
被充電機器の充電過程は、複数の定電流充電段階を含み得ることに留意されたい。定電流充電段階の数はＫで表すことができる。ここで、Ｋは、１以上の正整数であり、例えば、Ｋ＝５である。しかしながら、実際の応用において、Ｋは実際の状況（バッテリーの構造、材料など）に基づいて具体的に設定することができ、本出願の実施形態はこれに対して具体的に限定しない。
【００７３】
また、第Ｋプリセット電圧は、第Ｋ番目の定電流充電段階に対応するプリセット電圧であり、即ち、被充電機器内のバッテリーの充電カットオフ電圧である。このように、最後の定電流充電段階では、検出されたバッテリーの電圧がバッテリーの充電カットオフ電圧と等しい場合、バッテリーの充電を直接に終了する。
【００７４】
本出願の実施形態において、充電制御方法は、被充電機器に適用され、被充電機器内のバッテリーは複数のセルを含む。被充電機器の充電過程において、被充電機器内のバッテリーに対してＫ段階の定電流充電を行う。Ｋは１以上の正整数である。Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電する。Ｋ段階の定電流充電における各々の定電流充電段階で、バッテリーに印加された充電電圧と複数のセルのそれぞれの両端の電圧を検出する。充電電圧及び/又は複数のセルのいずれかの両端の電圧が、この定電流充電段階に対応するプリセット電圧より高い場合、被充電機器が次の定電流充電段階に進むように制御する。この充電過程は複数のセルを含むバッテリーに適用され、多段定電流充電を使用して定電流充電過程をできるだけ延長することにより、充電過程全体の充電時間を短縮し、充電速度を向上させる。
【００７５】
いくつかの実装形態において、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電することは、
前の（Ｋ−１）段階のうちの第ｉ番目の定電流充電段階では、バッテリーの電圧が第ｉプリセット電圧に達するまで、第ｉプリセット電流でバッテリーに対して定電流充電することと、
第Ｋ番目の定電流充電段階では、バッテリーの電圧が第Ｋプリセット電圧に達するまで、第Ｋプリセット電流でバッテリーに対して定電流充電することと、
を含み、
ｉは１以上且つ（Ｋ−１）以下の正整数であり、第（ｉ＋１）プリセット電流は第ｉプリセット電流より小さく、第Ｋプリセット電流は第（Ｋ−１）プリセット電流より小さく、第Ｋプリセット電圧は充電カットオフ電圧である。
【００７６】
なお、各々の定電流充電段階（例えば、第ｉ番目の定電流充電段階である）において、第ｉプリセット電流及び第ｉプリセット電圧は、それぞれ、被充電機器が第ｉ番目の定電流充電段階のために予め設定した電流値及び電圧値を表す。定電流充電に大電流が流れると、充電停止後に充電電圧が下がるので、ｉが大きくなることにつれて充電電流は減少され、即ち、第（ｉ＋１）プリセット電流は第ｉプリセット電流より小さい。例えば、Ｋ＝５であり、被充電機器内のバッテリーの複数のセルは並列に接続されると仮定し、第一番目の定電流充電段階では、第一プリセット電流はＸ（アンペア、Ａ）であり、第一プリセット電圧はＹ１（ボルト、Ｖ）であり；第二番目の定電流充電段階では、第二プリセット電流はＸ−△Ａ１であり、第二プリセット電圧はＹ２（Ｖ）であり；第三番目の定電流充電段では、第三プリセット電流はＸ−△Ａ１−△Ａ２であり、第三プリセット電圧はＹ３（Ｖ）であり；第四番目の定電流充電段では、第四プリセット電流はＸ−△Ａ１−△Ａ２−△Ａ３であり、第四プリセット電圧はＹ４（Ｖ）であり；第五番目の定電流充電段では、第五プリセット電流はＸ−△Ａ１−△Ａ２−△Ａ３−△Ａ４であり、第五プリセット電圧はＹ５（Ｖ）である。しかしながら、実際の応用では、第ｉプリセット電流及び第ｉプリセット電圧は実際の状況（バッテリーの構造、材料など）に基づいて具体的に設定することができ、本出願の実施形態はこれに対して具体的に限定しない。  
【００７７】
本出願の実施形態において、第一プリセット電流Ｘは３Ａより大きく、例えば、４Ａであることができる。第二プリセット電流から第五プリセット電流まで徐々に小さくなり、即ち、後の段階の電流は前の段階の電流より小さい。例えば、△Ａ１、△Ａ２、△Ａ３及び△Ａ４は、０．５〜１の間の値に設定されることができる。いくつかの実施形態において、第一プリセット電圧Ｙ１、第二プリセット電圧Ｙ２、第三プリセット電圧Ｙ３、第四プリセット電圧Ｙ４及び第五プリセット電圧Ｙ５は、バッテリーの定格電圧以上であることができる。例えば、バッテリーの定格電圧がＶ０であると、Ｙ１、Ｙ２、Ｙ３、Ｙ４及びＹ５はＶ０＋△Ｖと等しくことができ、ここで、△Ｖは０．０５〜０．５の値に設定されることができる。
【００７８】
いくつかの実施形態において、Ｋ段階の定電流充電において、各定電流充電段階に対応するプリセット電圧は同じであっても異なってもよく、且つ各定電流充電段階に対応するプリセット電圧はバッテリーの定格電圧より高いことができる。具体的には、複数のセルの場合、複数のセルのいずれかの各定電流充電段階に対応するプリセット電圧は、単一のセルの定格電圧より高いことができる。このようにして、複数のセルのそれぞれを過電圧充電することができるので、充電時間をできる限り短縮し、充電時間を節約する。
【００７９】
いくつかの実装形態において、第ｉ番目の定電流充電段階では、充電電圧及び/又は複数のセルのいずれかの両端の電圧がこの定電流充電段階に対応するプリセット電圧より高い場合、被充電機器が次の定電流充電段階に進むように制御することは、
検出されたバッテリーの充電電圧に基づいて、充電電圧が第ｉプリセット電圧より高いか否かを判断することと、ここで、第ｉプリセット電圧は第ｉ番目の定電流充電段階のバッテリーのプリセット閾値電圧を表し、
検出された複数のセルのそれぞれの両端の電圧に基づいて、いずれか１つのセルの両端の電圧が第ｉプリセットセル電圧（即ち、単一セルの第ｉプリセット電圧である）より高いか否かを判断することと、ここで、第ｉプリセットセル電圧は第ｉ番目の定電流充電段階の単一セルのプリセット閾値電圧を表し、
充電電圧が第ｉプリセット電圧より高い場合及び/又は複数のセルのいずれかの両端の電圧が第ｉプリセットセル電圧より高い場合、被充電機器が第（ｉ＋１）番目の定電流充電段階に進むように制御して、第ｉ番目の定電流充電段階で検出された複数のセルのそれぞれの両端の電圧が第ｉプリセットセル電圧を超えないようにする。
【００８０】
なお、被充電機器は、検出ユニット（図２に示された検出ユニット２０５など）を含む。検出ユニットは、一般的に、被検出回路に直列に接続され、被検出回路の電流及び/又は電圧を測定するために用いられる。本出願の実施形態において、検出ユニットは、抵抗式（電流検出抵抗器など）、又は磁気デバイス（電流トランスフォーマー（Ｃｕｒｒｅｎｔ  ｔｒａｎｓｆｏｒｍｅｒ）、電圧トランスフォーマー（Ｐｏｔｅｎｔｉａｌ  ｔｒａｎｓｆｏｒｍｅｒ）、ロゴスキーコイル（Ｒｏｇｏｗｓｋｉ  ｃｏｉｌ）、ホールセンサー（Ｈａｌｌ  ｓｅｎｓｏｒ）など）、又はトランジスタ（ＲＤＳ（ＯＮ）など）であることができ、本出願の実施形態はこれに対して具体的に限定しない。
【００８１】
このように、第ｉ番目の定電流充電段階では、バッテリーの充電電圧が第ｉプリセット電圧と等しいことが検出された場合及び/又は複数のセルのいずれかの両端の電圧が第ｉプリセットセル電圧より高いことが検出された場合、被充電機器は第ｉ番目の定電流充電段階から第（ｉ＋１）番目の定電流充電段階に進み、第ｉ番目の定電流充電段階で検出された複数のセルのそれぞれの両端の電圧が第ｉプリセットセル電圧を超えないようにする。
【００８２】
いくつかの実装形態において、被充電機器が次の定電流充電段階に進むように制御した後、充電制御方法は、さらに、
第Ｋ番目の定電流充電段階では、バッテリーの充電電圧が充電カットオフ電圧より高いことが検出された場合及び/又は複数のセルのいずれかの両端の電圧が第Ｋプリセットセル電圧より高いことが検出された場合、バッテリーの充電を終了するか、又は充電カットオフ電圧をバッテリーに印加して定電圧充電すること、を含む。
【００８３】
複数のセルが並列に接続されている場合、充電カットオフ電圧は第Ｋプリセットセル電圧と等しく、複数のセルが直列に接続されている場合、充電カットオフ電圧は「複数のセルのセル数×第Ｋプリセットセル電圧」と等しいことに注意してください。従って第Ｋ番目の定電流充電段階の後、バッテリーの充電電圧が充電カットオフ電圧よりも高いか及び/又は複数のセルのいずれかの両端の電圧が第Ｋプリセットセル電圧より高い場合、バッテリーの充電を直接に終了することができ、又は充電カットオフ電圧を被充電機器のバッテリーに印加して定電圧充電することができ、本出願の実施形態はこれに対して具体的に限定しない。
【００８４】
図４は、本発明の実施形態に係わる充電制御技術の概略図である。図４に示されたように、横軸は時間（Ｔ）を表し、縦軸は充電電流（Ｉ）を表す。被充電機器に対してＫ段階の定電流充電を行うと仮定する。第一番目の定電流充電段階では、第一プリセット電流Ｉ１で定電流充電して、第一充電時間ｔ１を経過した後、バッテリーの電圧が第一プリセット電圧Ｖ１に達し、且つこの定電流充電段階の複数のセルのそれぞれの両端の電圧は第一プリセットセル電圧を超えない。次に、充電電流を第一プリセット電流Ｉ１から第二プリセット電流Ｉ２に減らして、第二番目の定電流充電段階に進む。第二番目の定電流充電段階では、第二プリセット電流Ｉ２で定電流充電して、第二充電時間ｔ２を経過した後、バッテリーの電圧が第二プリセット電圧Ｖ２に達し、且つこの定電流充電段階の複数のセルのそれぞれの両端の電圧は第二プリセットセル電圧を超えない。充電電流を徐々に減らし、上記の手順を繰り返す。充電電流を第ｉプリセット電流Ｉｉに減少すると、第ｉ番目の定電流充電段階に進む。第ｉ番目の定電流充電段階では、第ｉプリセット電流Ｉｉで定電流充電して、第ｉ充電時間ｔｉを経過した後、バッテリーの電圧が第ｉプリセット電圧Ｖｉに達し、且つこの定電流充電段階の複数のセルのそれぞれの両端の電圧は第ｉプリセットセル電圧を超えない。このように、最後の定電流充電段階に進み、即ち第Ｋ番目の定電流充電段階では、第Ｋプリセット電流ＩＫで定電流充電して、第Ｋ充電時間ｔＫを経過した後、バッテリーの電圧が第Ｋプリセット電圧ＶＫ（即ち、充電カットオフ電圧である）に達し、この時、バッテリーの充電を終了することができる。このように、上記の充電過程は多段定電流充電を採用するので、定電流充電過程をできるだけ延長することができ、充電過程全体の充電時間を短縮する。また、上記の充電過程では定電圧充電段を排除したので、充電過程全体の充電時間をさらに節約し、充電速度を向上させることができる。
【００８５】
第ｉプリセット電圧は第ｉ番目の定電流充電段階のバッテリーのプリセット閾値電圧を表し、第ｉプリセットセル電圧は第ｉ番目の定電流充電段階の単一セルのプリセット閾値電圧を表す。複数のセルのセル数がＮであると仮定し、Ｎは１より大きい正整数であると、バッテリーの複数のセルが直列に接続されている場合、第ｉプリセット電圧はＮ倍の第ｉプリセットセル電圧と等しく、バッテリーの複数のセルが並列に接続されている場合、第ｉプリセット電圧は第ｉプリセットセル電圧と等しい。
【００８６】
いくつかの実施形態において、第ｉ番目の定電流充電段階では、バッテリーの電圧が第ｉプリセット電圧に達するまで、第ｉプリセット電流でバッテリーに対して定電流充電することは、
複数のセルの構造を判断することと、
複数のセルが直列に接続されている場合、第ｉ番目の定電流充電段階では、バッテリーの電圧が第ｉプリセットセル電圧のＮ倍に達するまで、第ｉプリセット電流でバッテリーに対して定電流充電することと、Ｎは複数のセルのセル数を表し、且つＮは１より大きい正整数であり、
複数のセルが並列に接続されている場合、第ｉ番目の定電流充電段階では、バッテリーの電圧が第ｉプリセットセル電圧に達するまで、第ｉプリセット電流でバッテリーに対して定電流充電することと、
を含む。
【００８７】
バッテリーの複数のセルは直列又は並列に接続されることができ、本出願の実施形態はこれに対して具体的に限定しないことに留意されたい。被充電機器は先ず複数のセルの構造を判断することを必要として、複数のセルが直列に接続されている場合、第ｉ番目の定電流充電段階では、バッテリーの電圧が第ｉプリセットセル電圧のＮ倍（即ち、Ｎ×第ｉプリセットセル電圧）に達するまで、第ｉプリセット電流でバッテリーに対して定電流充電し、複数のセルが並列に接続されている場合、第ｉ番目の定電流充電段階では、バッテリーの電圧が第ｉプリセットセル電圧に達するまで、第ｉプリセット電流でバッテリーに対して定電流充電する。
【００８８】
いくつかの実装形態において、複数のセルが直列に接続されている場合、第ｉ番目の定電流充電段階では、バッテリーの電圧が第ｉプリセットセル電圧のＮ倍に達するまで、第ｉプリセット電流でバッテリーに対して定電流充電してから、充電制御方法は、さらに、
第ｉプリセットセル電圧のＮ倍をバッテリーに印加して定電圧充電することと、
バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御し、第（ｉ＋１）プリセット電流でバッテリーに対して定電流充電することと、
を含む。
【００８９】
選択的には、第Ｋ番目の定電流充電段階では、充電制御方法は、バッテリーの充電電圧が第Ｋプリセットセル電圧のＮ倍と等しいことが検出されると、バッテリの充電を終了することをさらに含む。第Ｋプリセットセル電圧のＮ倍は、充電カットオフ電圧である。
【００９０】
選択的には、第Ｋ番目の定電流充電段階では、充電制御方法は、
バッテリーの充電電圧が第Ｋプリセットセル電圧のＮ倍と等しいことが検出されると、第Ｋプリセットセル電圧のＮ倍をバッテリーに印加して定電圧充電することと、
バッテリーの充電電流が充電カットオフ電流より小さいことが検出されると、バッテリーの充電を終了することと、
をさらに含む。
【００９１】
いくつかの実装形態において、複数のセルが並列に接続されている場合、第ｉ番目の定電流充電段階では、バッテリーの電圧が第ｉプリセットセル電圧に達するまで、第ｉプリセット電流でバッテリーに対して定電流充電してから、充電制御方法は、
第ｉプリセットセル電圧をバッテリーに印加して定電圧充電することと、
バッテリーの充電電流が第（ｉ＋１）プリセット電流と等しいこと及び/又は複数のセルのいずれかの両端の電圧が第ｉプリセットセル電圧より高いことが検出されると、被充電機器が第（ｉ＋１）番目の定電流充電段階に進むように制御し、第（ｉ＋１）プリセット電流でバッテリーに対して定電流充電することと、
をさらに含む。 
【００９２】
いくつかの実装形態において、第Ｋ番目の定電流充電段階では、充電制御方法は、バッテリーの充電電圧が第Ｋプリセットセル電圧と等しいことが検出されると、バッテリーの充電を終了することをさらに含む。ここで、第Ｋプリセットセル電圧は、充電カットオフ電圧である。
【００９３】
選択的には、第Ｋ番目の定電流充電段階では、充電制御方法は、
バッテリーの充電電圧が第Ｋプリセットセル電圧と等しいことが検出されると、第Ｋプリセットセル電圧をバッテリーに印加して定電圧充電することと、
バッテリーの充電電流が充電カットオフ電流よりも小さいことが検出されると、バッテリーの充電を終了することと、
をさらに含む。
【００９４】
複数のセルが直列に接続されているか並列に接続されているかに係わらず、複数の定電流充電段階にとって、各々の定電流充電段階と次の定電流充電段階との間は定電圧充電によって接続することができる。このようにして充電電流の突然の低下を回避することができる。電流の急激な変化は、バッテリーの材質にあるほど影響を与えるので、バッテリーの損傷を引き起こし易く、バッテリーの耐久性を低下させ、バッテリーの寿命を短縮する。従って、第ｉ番目の定電流充電段と第（ｉ＋１）番目の定電流充電段階との間は定電圧充電によって接続することができ、充電電流の急激な変化を回避することに加えて、充電時間をさらに節約することができ、充電速度を向上させることができる。
【００９５】
さらに、複数のセルが直列に接続されているか並列に接続されているかに係わらず、第Ｋ番目の定電流充電段階では、バッテリーの電圧が第Ｋプリセット電圧（例えば、Ｎ個のセルが直列に接続されている場合、第Ｋプリセット電圧は第Ｋプリセットセル電圧のＮ倍と等しく、Ｎ個のセルが並列に接続されている場合、第Ｋプリセット電圧は第Ｋプリセットセル電圧と等しい）と等しいことが検出されると、バッテリーの充電を直接に終了することができる。上記の充電過程では、定電圧充電段階を省略する。又は、バッテリーの電圧が第Ｋプリセット電圧と等しいことが検出されると、先ず、第Ｋプリセット電圧をバッテリーに印加して定電圧充電することができ、そして、バッテリーの充電電流が充電カットオフ電流よりも小さいことが検出されると、バッテリの充電を終了する。上記の充電過程では、定電圧充電段階を保留したが、多段定電流充電を採用することにより、定電流充電過程をできるかぎり延長することができ、充電過程全体の充電時間を短縮することができる。上述した２つの処理方式は、両方とも充電時間を節約し且つ充電速度を向上させる目的を実現することができる。実際の応用では、実際の情況に応じて具体的に設定することができ、本出願の実施形態はこれに対して具体的に限定しない。
【００９６】
図５は、本発明の別の実施形態に係わる充電制御技術の概略図である。図５に示されたように、横軸は時間（Ｔ）を表し、縦軸は充電電流（Ｉ）を表す。被充電機器に対してＫ段階の定電流充電を行うと仮定する。第一番目の定電流充電段階では、バッテリーの電圧が第一プリセット電圧Ｖ１に達するまで、第一プリセット電流Ｉ１で定電流充電してから、第一プリセット電圧Ｖ１をバッテリーに印加して定電圧充電して、第一充電時間ｔ１を経過した後、バッテリーの充電電流が第二プリセット電流Ｉ２と等しいこと及び/又は複数のセルのいずれかの両端の電圧が第一プリセットセル電圧より高いことが検出されると、被充電機器は第二番目の定電流充電段階に進む。第二番目の定電流充電段階では、バッテリーの電圧が第二プリセット電圧Ｖ２に達するまで、第二プリセット電流Ｉ２で定電流充電してから、第二プリセット電圧Ｖ２をバッテリーに印加して定電圧充電して、第二充電時間ｔ２を経過した後、バッテリーの充電電流が第三プリセット電流Ｉ３と等しいこと及び/又は複数のセルのいずれかの両端の電圧が第二プリセットセル電圧より高いことが検出されると、被充電機器は第三番目の定電流充電段階に進む。上記の手順を繰り返す。第ｉ番目の定電流充電段階では、バッテリーの電圧が第ｉプリセット電圧Ｖｉに達するまで、第ｉプリセット電流Ｉｉで定電流充電してから、第ｉプリセット電圧Ｖｉをバッテリーに印加して定電圧充電して、第ｉ充電時間ｔｉを経過した後、バッテリーの充電電流が第（ｉ＋１）プリセット電流Ｉｉ＋１と等しいこと及び/又は複数のセルのいずれかの両端の電圧が第ｉプリセットセル電圧より高いことが検出されると、被充電機器は第（ｉ＋１）番目の定電流充電段階に進む。このように、最後の定電流充電段階に進み、即ち第Ｋ番目の定電流充電段階では、バッテリーの電圧が第Ｋプリセット電圧ＶＫ（即ち、充電カットオフ電圧Ｖｅｎｄである）に達するまで、第Ｋプリセット電流ＩＫで定電流充電して、バッテリーの充電電圧がＶＫと等しいことが検出されると、バッテリーの充電を終了することができる。
【００９７】
いくつかの実施形態において、第ｉプリセットセル電圧は単一セルの定格電圧より高い。
【００９８】
被充電機器の充電過程において、第ｉプリセットセル電圧は、第ｉ番目の定電流充電段階における単一セルのプリセット閾値電圧を表すことに留意されたい。各定電流充電段階に対応するプリセットセル電圧は同じであっても異なってもよく、本出願の実施形態は具体的に限定しない。本出願の実施形態において、第ｉプリセットセル電圧は単一セルの定格電圧より高いことができる。このようにして、複数のセルのそれぞれを過電圧充電することができるので、充電期間をできる限り短縮し、充電時間を節約する。従って、関連技術と比較して、充電時間を大幅に節約し、充電効率を大幅に向上させることができる。
【００９９】
いくつかの実施形態において、第ｉプリセットセル電圧は、単一セルの定格電圧とプリセット電圧差との合計と等しくなるように設定されることができる。プリセット電圧差ΔＶは、０．０５Ｖ又は０．５Ｖであることができる。一般的に、ΔＶは０．０５Ｖ〜０．５Ｖの間の値を取ることができる。実際の応用では、ΔＶは実際の情況に応じて設定されることができ、本出願の実施形態はこれに対して具体的に限定しない。
【０１００】
いくつかの実装形態において、被充電機器の充電モードは、無線充電モード及び有線充電モードを含み、充電制御方法は、充電モードを選択することによって、無線充電モード又は有線充電モードでバッテリーを充電するように、被充電機器を制御することをさらに含む。
【０１０１】
なお、本出願の実装形態に係わる充電制御方法は、被充電機器の無線充電モード及び被充電機器の有線充電モードの両方に適用可能であることに留意されたい。充電モードを選択することにより、無線充電モード又は有線充電モードで被充電機器のバッテリーを充電することができる。また、上記の充電過程では多段定電流充電を採用するので、定電流充電過程をできるかぎり延長することができ、充電過程全体の充電時間を短縮し、充電速度を向上させることができる。
【０１０２】
さらに、複数のセルが並列に接続されている場合、第ｉ番目の定電流充電段階では、複数のセルのいずれかの両端の電圧が第ｉプリセットセル電圧より高いことが検出されると、第ｉ番目の定電流充電段階の第ｉプリセットセル電圧に達したセルに対応する充電経路を切断し、第ｉ番目の定電流充電段階の第ｉプリセットセル電圧に達していないセルを充電し続ける。換言すると、複数のセルの場合、複数のセルのそれぞれに対して、いずれも上記の充電制御方法によって独立に充電操作することができる。
【０１０３】
上述した実施形態は、充電制御方法を提供する。この方法は、被充電機器に適用され、被充電機器内のバッテリーは複数のセルを含む。被充電機器の充電過程において、被充電機器内のバッテリーに対してＫ段階の定電流充電を行う。Ｋは１以上の正整数である。Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電する。Ｋ段階の定電流充電における各々の定電流充電段階で、バッテリーに印加された充電電圧と複数のセルのそれぞれの両端の電圧を検出する。充電電圧及び/又は複数のセルのいずれかの両端の電圧が、この定電流充電段階に対応するプリセット電圧より高い場合、被充電機器が次の定電流充電段階に進むように制御する。この充電過程は多段定電流充電を採用して、定電流充電時間をできるだけ延長することにより、充電時間全体を短縮し、充電速度を向上させる。
【０１０４】
図３に示された技術的解決策と同じ発明概念に基づいて、図６を参照すると、本発明の実施形態に係わる充電制御装置６０の構造を示す概略図である。充電制御装置６０は、被充電機器に適用可能であり、被充電機器内のバッテリーは複数のセルを含む。充電制御装置６０は、充電ユニット６０１、検出ユニット６０２及び制御ユニット６０３を含む。充電ユニット６０１は、被充電機器の充電過程において、被充電機器内のバッテリーに対してＫ段階の定電流充電を行うために用いられ、Ｋは１以上の正整数である。充電ユニット６０１は、さらに、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電するために用いられ、第Ｋ番目の定電流充電段階に対応するプリセット電圧は充電カットオフ電圧であり、充電カットオフ電圧はバッテリーの定格電圧よりも高い。検出ユニット６０２は、Ｋ段階の定電流充電における各々の定電流充電段階で、バッテリーに印加された充電電圧と複数のセルのそれぞれの両端の電圧を検出するために用いられる。制御ユニット６０３は、充電電圧及び/又は複数のセルのいずれかの両端の電圧が、この定電流充電段階に対応するプリセット電圧より高い場合、被充電機器が次の定電流充電段階に進むように制御するために用いられる。
【０１０５】
いくつかの実装形態において、充電ユニット６０１は、具体的に、前の（Ｋ−１）段階のうちの第ｉ番目の定電流充電段階では、バッテリーの電圧が第ｉプリセット電圧に達するまで、第ｉプリセット電流でバッテリーに対して定電流充電するために用いられ、ｉは１以上且つ（Ｋ−１）以下の正整数であり、第（ｉ＋１）プリセット電流は第ｉプリセット電流より小さい。充電ユニット６０１は、さらに、第Ｋ番目の定電流充電段階では、バッテリーの電圧が第Ｋプリセット電圧に達するまで、第Ｋプリセット電流でバッテリーに対して定電流充電するために用いられ、第Ｋプリセット電流は第（Ｋ−１）プリセット電流より小さく、第Ｋプリセット電圧は充電カットオフ電圧である。
【０１０６】
いくつかの実装形態において、第ｉ番目の定電流充電段階では、制御ユニット６０３は、具体的に、検出されたバッテリーの充電電圧に基づいて、充電電圧が第ｉプリセット電圧より高いか否かを判断し、ここで、第ｉプリセット電圧は第ｉ番目の定電流充電段階のバッテリーのプリセット閾値電圧を表し、検出された複数のセルのそれぞれの両端の電圧に基づいて、いずれか１つのセルの両端の電圧が第ｉプリセットセル電圧より高いか否かを判断し、ここで、第ｉプリセットセル電圧は第ｉ番目の定電流充電段階の単一セルのプリセット閾値電圧を表し、充電電圧が第ｉプリセット電圧より高い場合及び/又は複数のセルのいずれかの両端の電圧が第ｉプリセットセル電圧より高い場合、被充電機器が第ｉ＋１番目の定電流充電段階に進むように制御して、第ｉ番目の定電流充電段階で検出された複数のセルのそれぞれの両端の電圧が第ｉプリセットセル電圧を超えないようにするために用いられる。
【０１０７】
いくつかの実装形態において、第Ｋ番目の定電流充電段階では、検出ユニット６０２によってバッテリーの充電電圧が充電カットオフ電圧より高いことが検出された場合及び/又は複数のセルのいずれかの両端の電圧が第Ｋプリセットセル電圧より高いことが検出された場合、制御ユニット６０３は、さらに、バッテリーの充電を終了するか、又は充電カットオフ電圧をバッテリーに印加して定電圧充電するために用いられる。
【０１０８】
いくつかの実装形態において、制御ユニット６０３は、さらに複数のセルの構造を判断するために用いられる。制御ユニット６０３によって複数のセルが直列に接続されていると判断した場合、充電ユニット６０１は、具体的に、第ｉ番目の定電流充電段階では、バッテリーの電圧が第ｉプリセットセル電圧のＮ倍に達するまで、第ｉプリセット電流でバッテリーに対して定電流充電するために用いられ、Ｎは複数のセルのセル数を表し、且つＮは１より大きい正整数である。制御ユニット６０３によって複数のセルが並列に接続されていると判断した場合、充電ユニット６０１は、さらに、第ｉ番目の定電流充電段階では、バッテリーの電圧が第ｉプリセットセル電圧に達するまで、第ｉプリセット電流でバッテリーに対して定電流充電するために用いられる。
【０１０９】
いくつかの実装形態において、複数のセルが直列に接続されている場合、充電ユニット６０１は、さらに、第ｉプリセットセル電圧のＮ倍をバッテリーに印加して定電圧充電するために用いられ、
検出ユニット６０２によってバッテリーの充電電流が第（ｉ＋１）プリセット電流と等しいこと及び/又は複数のセルのいずれかの両端の電圧が第ｉプリセットセル電圧より高いことが検出されると、制御ユニット６０３は、さらに、被充電機器が第（ｉ＋１）番目の定電流充電段階に進むように制御して、第（ｉ＋１）プリセット電流でバッテリーに対して定電流充電するために用いられる。
【０１１０】
いくつかの実装形態において、複数のセルが並列に接続されている場合、充電ユニット６０１は、さらに、第ｉプリセットセル電圧をバッテリーに印加して定電圧充電するために用いられ、
検出ユニット６０２によってバッテリーの充電電流が第（ｉ＋１）プリセット電流と等しいこと及び/又は複数のセルのいずれかの両端の電圧が第ｉプリセットセル電圧より高いことが検出されると、制御ユニット６０３は、さらに、被充電機器が第（ｉ＋１）番目の定電流充電段階に進むように制御し、第（ｉ＋１）プリセット電流でバッテリーに対して定電流充電するために用いられる。
【０１１１】
いくつかの実装形態において、複数のセルが直列に接続されている場合、検出ユニット６０２によってバッテリーの充電電圧が第Ｋプリセットセル電圧のＮ倍と等しいことが検出されると、制御ユニット６０３は、さらにバッテリの充電を終了するために用いられ、第Ｋプリセットセル電圧のＮ倍は、充電カットオフ電圧である。
【０１１２】
いくつかの実装形態において、複数のセルが直列に接続されている場合、検出ユニット６０２によってバッテリーの充電電圧が第Ｋプリセットセル電圧のＮ倍と等しいことが検出されると、充電ユニット６０１は、さらに第Ｋプリセットセル電圧のＮ倍をバッテリーに印加して定電圧充電するために用いられ、
検出ユニット６０２によってバッテリーの充電電流が充電カットオフ電流より小さいことが検出されると、制御ユニット６０３は、さらにバッテリーの充電を終了するために用いられる。
【０１１３】
いくつかの実装形態において、複数のセルが並列に接続されている場合、検出ユニット６０２によってバッテリーの充電電圧が第Ｋプリセットセル電圧と等しいことが検出されると、制御ユニット６０３は、さらにバッテリーの充電を終了するために用いられ、第Ｋプリセットセル電圧は充電カットオフ電圧である。  
【０１１４】
いくつかの実装形態において、複数のセルが並列に接続されている場合、検出ユニット６０２によってバッテリーの充電電圧が第Ｋプリセットセル電圧と等しいことが検出されると、充電ユニット６０１は、さらに第Ｋプリセットセル電圧をバッテリーに印加して定電圧充電するために用いられ、
検出ユニット６０２によってバッテリーの充電電流が充電カットオフ電流よりも小さいことが検出されると、制御ユニット６０３は、さらにバッテリーの充電を終了するために用いられる。
【０１１５】
いくつかの実施形態において、第ｉプリセットセル電圧は単一セルの定格電圧より高い。
【０１１６】
いくつかの実装形態において、被充電機器の充電モードは、無線充電モード及び有線充電モードを含み、制御ユニット６０３は、さらに充電モードを選択することによって、無線充電モード又は有線充電モードでバッテリーを充電するように、被充電機器を制御するために用いられる。
【０１１７】
本実施形態において、「ユニット」は、回路の一部、プロセッサの一部、プログラム又はソフトウェアの一部などであることができる。もちろん、「ユニット」は、モジュール又は非モジュラーであることもできる。さらに、本実施形態における各構成部分は、１つの処理ユニットに集積されてもよいし、物理的に分離された複数のユニットとして存在してもよいし、２つ以上のユニットは１つのユニットに集積してもよい。集積ユニットは、ハードウェアの形式又はソフトウェアの機能ユニットの形式で実現されることもできる。
【０１１８】
上述した集積ユニットは、ソフトウェア機能ユニットとして実現され、独立の製品として販売されたり使用されたりする場合、コンピュータ読み取り可能な記録媒体に記憶されてもよい。この理解によれば、本実施例の技術方案の本質、又は従来技術に貢献できた部分、又は該技術方案の一部又は全部は、ソフトウェア製品として表現され得る。このコンピュータソフトウェア製品は、１つの記憶媒体に記憶されており、１つのコンピュータ（パソコン、サーバー、又はネットワーク機器などであってもよい）又はプロセッサに本実施例に係る方法の全部又は一部を実行させるの複数のコマンドが含まれている。記憶媒体は、ＵＳＢフラッシュメモリー、モバイルハードディスク、読み出し専用メモリ（ＲＯＭ、Ｒｅａｄ−Ｏｎｌｙ Ｍｅｍｏｒｙ）、ランダムアクセスメモリ（ＲＡＭ、Ｒａｎｄｏｍ Ａｃｃｅｓｓ Ｍｅｍｏｒｙ）、磁気ディスク又は光ディスクなどの各種のプログラムコードを記憶可能な媒体を含む。
【０１１９】
従って、本実施例は、充電制御プログラムが格納されたコンピュータ記憶媒体を提供する。充電制御プログラムが少なくとも１つのプロセッサによって実行されると、図３に示された技術的解決策の方法を実行する。
【０１２０】
充電制御装置６０の構成及びコンピュータ記憶媒体に基づいて、図７を参照すると、図７は、本発明の実施形態に係わる充電制御装置６０の具体的なハードウェア構造を示す概略図である。図７に示されたように、充電制御装置６０は、ネットワークインターフェース７０１、メモリ７０２及びプロセッサ７０３を含む。上記の各構成要素は、バスシステム７０４を介して一緒に結合される。バスシステム７０４は、これらの構成要素間の接続通信を実現するために用いられる。バスシステム７０４は、データバスに加えて、電源バス、制御バス及び状態信号バスを含む。しかしながら、明確に説明するために、様々なタイプのバスは、図７ではバスシステム７０４として示される。ネットワークインターフェース７０１は、他の外部ネットワーク要素とメッセージを送受信しながら信号を送受信するために用いられる。
【０１２１】
メモリ７０２は、プロセッサ７０３で実行可能なコンピュータプログラムを格納するために用いられる。プロセッサ７０３は、コンピュータプログラムが実行されるとき、以下の操作を実行するために用いられる。
プロセッサ７０３は、被充電機器の充電過程において、被充電機器内のバッテリーに対してＫ段階の定電流充電を行うために用いられる。Ｋは１以上の正整数である。
プロセッサ７０３は、Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電するために用いられる。第Ｋ番目の定電流充電段階に対応するプリセット電圧は充電カットオフ電圧であり、充電カットオフ電圧はバッテリーの定格電圧よりも高い。
プロセッサ７０３は、Ｋ段階の定電流充電における各々の定電流充電段階で、バッテリーに印加された充電電圧と複数のセルのそれぞれの両端の電圧を検出するために用いられる。
プロセッサ７０３は、充電電圧及び/又は複数のセルのいずれかの両端の電圧が、この定電流充電段階に対応するプリセット電圧より高い場合、被充電機器が次の定電流充電段階に進むように制御するために用いられる。
【０１２２】
本出願の実施形態に係わるメモリ７０２は、揮発性メモリ又は不揮発性メモリであることができるか、又は揮発性メモリ及び不揮発性メモリの両方を含むことができる。不揮発性メモリは、読み取り専用メモリ（Ｒｅａｄ-Ｏｎｌｙ  Ｍｅｍｏｒｙ，ＲＯＭ）、プログラム可能な読み取り専用メモリ（Ｐｒｏｇｒａｍｍａｂｌｅ  Ｒｅａｄ-Ｏｎｌｙ  Ｍｅｍｏｒｙ, ＰＲＯＭ）、消去可能なプログラム可能な読み取り専用メモリ（Ｅｒａｓａｂｌｅ  Ｐｒｏｇｒａｍｍａｂｌｅ  Ｒｅａｄ-Ｏｎｌｙ  Ｍｅｍｏｒｙ, ＥＰＲＯＭ）、電気的に消去可能なプログラム可能な読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ-Ｏｎｌｙ  Ｍｅｍｏｒｙ, ＥＥＰＲＯＭ）又はフラッシュメモリ（Ｆｌａｓｈ  Ｍｅｍｏｒｙ）であることができる。揮発性メモリは、外部高速キャッシュとして機能するランダムアクセスメモリ（Ｒａｎｄｏｍ Ａｃｃｅｓｓ Ｍｅｍｏｒｙ，ＲＡＭ）であることができる。例示的であるが限定的ではない例として、多い形式のＲＡＭが利用可能であり、例えば、スタティックランダムアクセスメモリ（Ｓｔａｔｉｃ  Ｒａｎｄｏｍ  Ａｃｃｅｓｓ  Ｍｅｍｏｒｙ，ＳＲＡＭ）、ダイナミックランダムアクセスメモリ（Ｄｙｎａｍｉｃ  Ｒａｎｄｏｍ  Ａｃｃｅｓｓ  Ｍｅｍｏｒｙ，ＤＲＡＭ）、同期ダイナミックランダムアクセスメモリ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ，ＳＤＲＡＭ）、ダブルデータレート同期ダイナミックランダムアクセスメモリ（Ｄｏｕｂｌｅ Ｄａｔａ Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ，ＤＤＲＳＤＲＡＭ）、拡張同期ダイナミックランダムアクセスメモリ（Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ，ＥＳＤＲＡＭ）、同期接続ダイナミックランダムアクセスメモリ（Ｓｙｎｃｈ-ｌｉｎｋ  Ｄｙｎａｍｉｃ  Ｒａｎｄｏｍ  Ａｃｃｅｓｓ  Ｍｅｍｏｒｙ，ＳＬＤＲＡＭ）、ダイレクトランバスランダムアクセスメモリ（Ｄｉｒｅｃｔ Ｒａｍｂｕｓ  Ｒａｎｄｏｍ  Ａｃｃｅｓｓ  Ｍｅｍｏｒｙ，ＤＲＲＡＭ）である。本明細書に記載されたシステム及び方法のメモリ７０２は、これら及び他の任意の適切なタイプのメモリを含むことができるが、これらに限定されない。
【０１２３】
プロセッサ７０３は、信号処理機能を有する集積回路チップであることができる。実施過程において、上述した方法の各ステップは、プロセッサ７０３のハードウェアの集積論理回路（ｉｎｔｅｇｒａｔｅｄ ｌｏｇｉｃ ｃｉｒｃｕｉｔ）又はソフトウェア形式の命令によって完成することができる。プロセッサ７０３は、汎用プロセッサ、デジタル信号プロセッサ（Ｄｉｇｉｔａｌ Ｓｉｇｎａｌ Ｐｒｏｃｅｓｓｏｒ，ＤＳＰ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ Ｐｒｏｇｒａｍｍａｂｌｅ Ｇａｔｅ Ａｒｒａｙ，ＦＰＧＡ）又は他のプログラマブルロジックデバイス、ディスクリートゲート又はトランジスタロジックデバイス、ディスクリートハードウェアコンポーネントであることができる。本出願の実施例で開示された方法、ステップ及び論理ブロック図を実現又は実行することができる。汎用プロセッサはマイクロプロセッサであることができ、又はプロセッサは任意の従来のプロセッサなどであることができる。本出願の実施例で開示された方法のステップは、直接にハードウェア復号化プロセッサによって実行することができるか、又は復号化プロセッサ内のハードウェア及びソフトウェアモジュールの組合せによって実行することができる。ソフトウェアモジュールは、ＲＡＭ、フラッシュメモリ、ＲＯＭ、ＰＲＯＭ又は電気的に消去可能なプログラム可能なメモリ、レジスタなどの記憶媒体にあることができる。記憶媒体はメモリ７０２に位置する。プロセッサ７０３は、メモリ７０２内の情報を読み取り、そのハードウェアとともに上述したの方法のステップを完成する。
【０１２４】
本明細書に記載されたこれらの実施形態は、ハードウェア、ソフトウェア、ファームウェア、ミドルウェア、マイクロコード又はその組合によって実現することができる。ハードウェアによって実現する場合、処理ユニットは、１つ以上の特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔｓ，ＡＳＩＣ）、デジタル信号プロセッシング（Ｄｉｇｉｔａｌ Ｓｉｇｎａｌ Ｐｒｏｃｅｓｓｉｎｇ，ＤＳＰ）、ＤＳＰデバイス（ＤＳＰ Ｄｅｖｉｃｅ，ＤＳＰＤ）、プログラマブルロジックデバイス（Ｐｒｏｇｒａｍｍａｂｌｅ Ｌｏｇｉｃ Ｄｅｖｉｃｅ，ＰＬＤ）、フィールドプログラマブルゲートアレイ（Ｆｉｅｌｄ-Ｐｒｏｇｒａｍｍａｂｌｅ Ｇａｔｅ Ａｒｒａｙ，ＦＰＧＡ）、汎用プロセッサ、コントローラ、マイクロコントローラ、マイクロプロセッサ、本出願に記載された機能を実行するための他の電子ユニット又はそれらの組み合わせで実現されることができる。
【０１２５】
ソフトウェアによって実現する場合、本明細書に記載された機能モジュール（例えば、プロセス、関数など）を実行することにより、本明細書に記載された技術を実現することができる。ソフトウェアコードはメモリに格納されて、プロセッサによって実行することができる。メモリは、プロセッサ内又はプロセッサの外部で実現することができる。
【０１２６】
選択的には、他の実装形態として、プロセッサ７０３は、コンピュータプログラムを実行するとき、図３に示された技術方案の方法を実行するために用いられる。
【０１２７】
図８は、本発明の別の実施形態に係わる被充電機器８０の構造を示す概略図であるである。図８に示されたように、被充電機器８０は、少なくとも前述した実施形態のいずれかに記載された充電制御装置６０を含む。
【０１２８】
本出願の実施例に記載された技術方案は、矛盾がないかぎり任意に組み合わせることができる。
【０１２９】
上述したのは、ただ本願の具体的な実施形態であり、本願の保護範囲はこれに限定されるものではない。当業者であれば、本願に開示された技術範囲内で変更又は置換を容易に想到しうることであり、全て本出願の範囲内に含まれるべきである。従って本願の保護範囲は特許請求の範囲によって決めるべきである。
【産業上の利用可能性】
【０１３０】
本出願の実施形態において、充電制御方法は被充電機器に適用され、被充電機器内のバッテリーは複数のセルを含む。被充電機器の充電過程において、被充電機器内のバッテリーに対してＫ段階の定電流充電を行う。Ｋは１以上の正整数である。Ｋ段階の定電流充電における各々の定電流充電段階では、バッテリーの電圧がこの定電流充電段階に対応するプリセット電圧に達するまで、この定電流充電段階に対応するプリセット電流でバッテリーに対して定電流充電する。Ｋ段階の定電流充電における各々の定電流充電段階で、バッテリーに印加された充電電圧と複数のセルのそれぞれの両端の電圧を検出する。充電電圧及び/又は複数のセルのいずれかの両端の電圧がこの定電流充電段階に対応するプリセット電圧より高い場合、被充電機器が次の定電流充電段階に進むように制御する。この充電過程は複数のセルを含むバッテリーに適用され、多段定電流充電を使用して定電流充電過程をできるだけ延長することにより、充電過程全体の充電時間を短縮し、充電速度を向上させる。
【手続補正２】
【補正対象書類名】特許請求の範囲
【補正対象項目名】全文
【補正方法】変更
【補正の内容】
【特許請求の範囲】
【請求項１】
被充電機器に適用される充電制御方法であって、前記被充電機器内のバッテリーは複数のセルを含み、前記充電制御方法は、
前記被充電機器の充電過程において、前記被充電機器内のバッテリーに対してＫ段階の定電流充電を行うことと、Ｋは１以上の正整数であり、
前記Ｋ段階の定電流充電における各々の定電流充電段階では、前記バッテリーの電圧がこの定電流充電段階に対応するプリセット電圧に達するまで、この定電流充電段階に対応するプリセット電流で前記バッテリーに対して定電流充電することと、第Ｋ番目の定電流充電段階に対応するプリセット電圧は充電カットオフ電圧であり、前記充電カットオフ電圧はバッテリーの定格電圧よりも高く、
前記Ｋ段階の定電流充電における各々の定電流充電段階で、前記バッテリーに印加された充電電圧と複数のセルのそれぞれの両端の電圧を検出することと、
前記充電電圧及び/又は複数のセルのいずれかの両端の電圧が、この定電流充電段階に対応するプリセット電圧より高い場合、前記被充電機器が次の定電流充電段階に進むように制御することと、
を含む、
ことを特徴とする充電制御方法。
【請求項２】
前記Ｋ段階の定電流充電における各々の定電流充電段階では、前記バッテリーの電圧がこの定電流充電段階に対応するプリセット電圧に達するまで、この定電流充電段階に対応するプリセット電流で前記バッテリーに対して定電流充電することは、
前の（Ｋ−１）段階のうちの第ｉ番目の定電流充電段階では、前記バッテリーの電圧が第ｉプリセット電圧に達するまで、第ｉプリセット電流で前記バッテリーに対して定電流充電することと、
第Ｋ番目の定電流充電段階では、前記バッテリーの電圧が第Ｋプリセット電圧に達するまで、第Ｋプリセット電流で前記バッテリーに対して定電流充電することと、
を含み、
ｉは１以上且つ（Ｋ−１）以下の正整数であり、第（ｉ＋１）プリセット電流は前記第ｉプリセット電流より小さく、前記第Ｋプリセット電流は第（Ｋ−１）プリセット電流より小さく、前記第Ｋプリセット電圧は充電カットオフ電圧である、
ことを特徴とする請求項１に記載の充電制御方法。
【請求項３】
第ｉ番目の定電流充電段階では、前記充電電圧及び/又は複数のセルのいずれかの両端の電圧がこの定電流充電段階に対応するプリセット電圧より高い場合、前記被充電機器が次の定電流充電段階に進むように制御することは、
検出された前記バッテリーの充電電圧に基づいて、前記充電電圧が第ｉプリセット電圧より高いか否かを判断することと、ここで、前記第ｉプリセット電圧は第ｉ番目の定電流充電段階の前記バッテリーのプリセット閾値電圧を表し、
検出された複数のセルのそれぞれの両端の電圧に基づいて、いずれか１つのセルの両端の電圧が第ｉプリセットセル電圧より高いか否かを判断することと、ここで、第ｉプリセットセル電圧は第ｉ番目の定電流充電段階の単一セルのプリセット閾値電圧を表し、
前記充電電圧が第ｉプリセット電圧より高い場合及び/又は複数のセルのいずれかの両端の電圧が第ｉプリセットセル電圧より高い場合、前記被充電機器が第（ｉ＋１）番目の定電流充電段階に進むように制御して、第ｉ番目の定電流充電段階で検出された複数のセルのそれぞれの両端の電圧が第ｉプリセットセル電圧を超えないようにすることと、
を含む、
ことを特徴とする請求項２に記載の充電制御方法。
【請求項４】
前記被充電機器が次の定電流充電段階に進むように制御した後、前記充電制御方法は、さらに、
第Ｋ番目の定電流充電段階では、前記バッテリーの充電電圧が充電カットオフ電圧より高いことが検出された場合及び/又は複数のセルのいずれかの両端の電圧が第Ｋプリセットセル電圧より高いことが検出された場合、前記バッテリーの充電を終了するか、又は前記充電カットオフ電圧を前記バッテリーに印加して定電圧充電すること、を含む、
ことを特徴とする請求項１に記載の充電制御方法。
【請求項５】
第ｉ番目の定電流充電段階では、前記バッテリーの電圧が第ｉプリセット電圧に達するまで、第ｉプリセット電流で前記バッテリーに対して定電流充電することは、
前記複数のセルの構造を判断することと、
前記複数のセルが直列に接続されている場合、第ｉ番目の定電流充電段階では、前記バッテリーの電圧が第ｉプリセットセル電圧のＮ倍に達するまで、第ｉプリセット電流で前記バッテリーに対して定電流充電することと、Ｎは前記複数のセルのセル数を表し、且つＮは１より大きい正整数であり、
前記複数のセルが並列に接続されている場合、第ｉ番目の定電流充電段階では、前記バッテリーの電圧が第ｉプリセットセル電圧に達するまで、第ｉプリセット電流で前記バッテリーに対して定電流充電することと、
を含む、
ことを特徴とする請求項２に記載の充電制御方法。
【請求項６】
前記複数のセルが直列に接続されている場合、第ｉ番目の定電流充電段階では、前記バッテリーの電圧が第ｉプリセットセル電圧のＮ倍に達するまで、第ｉプリセット電流で前記バッテリーに対して定電流充電してから、前記充電制御方法は、さらに、
前記第ｉプリセットセル電圧のＮ倍を前記バッテリーに印加して定電圧充電することと、
前記バッテリーの充電電流が第（ｉ＋１）プリセット電流と等しいこと及び/又は複数のセルのいずれかの両端の電圧が第ｉプリセットセル電圧より高いことが検出されると、前記被充電機器が第（ｉ＋１）番目の定電流充電段階に進むように制御して、第（ｉ＋１）プリセット電流で前記バッテリーに対して定電流充電することと、
を含む、
ことを特徴とする請求項５に記載の充電制御方法。
【請求項７】
前記複数のセルが並列に接続されている場合、第ｉ番目の定電流充電段階では、前記バッテリーの電圧が第ｉプリセットセル電圧に達するまで、第ｉプリセット電流で前記バッテリーに対して定電流充電してから、前記充電制御方法は、さらに
前記第ｉプリセットセル電圧を前記バッテリーに印加して定電圧充電することと、
前記バッテリーの充電電流が前記第（ｉ＋１）プリセット電流と等しいこと及び/又は複数のセルのいずれかの両端の電圧が第ｉプリセットセル電圧より高いことが検出されると、前記被充電機器が第（ｉ＋１）番目の定電流充電段階に進むように制御して、前記第（ｉ＋１）プリセット電流で前記バッテリーに対して定電流充電することと、
を含む、
ことを特徴とする請求項５に記載の充電制御方法。
【請求項８】
前記複数のセルが直列に接続されている場合、前記充電制御方法は、前記第Ｋ番目の定電流充電段階では、前記バッテリーの充電電圧が第Ｋプリセットセル電圧のＮ倍と等しいことが検出されると、前記バッテリの充電を終了することをさらに含み、前記第Ｋプリセットセル電圧のＮ倍は、充電カットオフ電圧である、
ことを特徴とする請求項５に記載の充電制御方法。
【請求項９】
前記複数のセルが直列に接続されている場合、前記充電制御方法は、
前記第Ｋ番目の定電流充電段階では、前記バッテリーの充電電圧が第Ｋプリセットセル電圧のＮ倍と等しいことが検出されると、前記第Ｋプリセットセル電圧のＮ倍前記バッテリーに印加して定電圧充電することと、
前記第Ｋ番目の定電流充電段階では、前記バッテリーの充電電流が充電カットオフ電流より小さいことが検出されると、前記バッテリーの充電を終了することと、
をさらに含む、
ことを特徴とする請求項５に記載の充電制御方法。
【請求項１０】
前記複数のセルが並列に接続されている場合、前記充電制御方法は、前記第Ｋ番目の定電流充電段階では、前記バッテリーの充電電圧が第Ｋプリセットセル電圧と等しいことが検出されると、前記バッテリーの充電を終了することをさらに含み、前記第Ｋプリセットセル電圧は、充電カットオフ電圧である、
ことを特徴とする請求項５に記載の充電制御方法。
【請求項１１】
前記複数のセルが並列に接続されている場合、前記充電制御方法は、
前記第Ｋ番目の定電流充電段階では、前記バッテリーの充電電圧が第Ｋプリセットセル電圧と等しいことが検出されると、前記第Ｋプリセットセル電圧を前記バッテリーに印加して定電圧充電することと、
前記第Ｋ番目の定電流充電段階では、前記バッテリーの充電電流が充電カットオフ電流よりも小さいことが検出されると、前記バッテリーの充電を終了することと、
をさらに含む、
ことを特徴とする請求項５に記載の充電制御方法。
【請求項１２】
前記第ｉプリセットセル電圧は単一セルの定格電圧より高い、
ことを特徴とする請求項１〜１１のいずれか一項に記載の充電制御方法。
【請求項１３】
前記被充電機器の充電モードは無線充電モード及び有線充電モードを含み、前記充電制御方法は、充電モードを選択することによって、前記無線充電モード又は前記有線充電モードで前記バッテリーを充電するように、前記被充電機器を制御することをさらに含む。
ことを特徴とする請求項１〜１２のいずれか一項に記載の充電制御方法。
【請求項１４】
被充電機器に適用可能である充電制御装置であって、前記被充電機器内のバッテリーは複数のセルを含み、前記充電制御装置は、充電ユニット、検出ユニット及び制御ユニットを含み、
前記充電ユニットは、前記被充電機器の充電過程において、前記被充電機器内のバッテリーに対してＫ段階の定電流充電を行うために用いられ、Ｋは１以上の正整数であり、
前記充電ユニットは、前記Ｋ段階の定電流充電における各々の定電流充電段階では、前記バッテリーの電圧がこの定電流充電段階に対応するプリセット電圧に達するまで、この定電流充電段階に対応するプリセット電流で前記バッテリーに対して定電流充電するために用いられ、前記第Ｋ番目の定電流充電段階に対応するプリセット電圧は充電カットオフ電圧であり、前記充電カットオフ電圧は前記バッテリーの定格電圧よりも高く、
前記検出ユニットは、前記Ｋ段階の定電流充電における各々の定電流充電段階で、前記バッテリーに印加された充電電圧と複数のセルのそれぞれの両端の電圧を検出するために用いられ、
前記制御ユニットは、前記充電電圧及び/又は複数のセルのいずれかの両端の電圧が、この定電流充電段階に対応するプリセット電圧より高い場合、前記被充電機器が次の定電流充電段階に進むように制御するために用いられる、
ことを特徴とする充電制御装置。
【請求項１５】
充電制御装置であって、
モリ及びプロセッサを含み、前記メモリには前記プロセッサで実行可能なコンピュータプログラムが格納されており、前記コンピュータプログラムが前記プロセッサによって実行されると、請求項１〜１３のいずれか一項に記載の充電制御方法を実行する、
ことを特徴とする充電制御装置。
【請求項１６】
充電制御プログラムが格納されたコンピュータ記憶媒体であって、
前記充電制御プログラムが少なくとも１つのプロセッサによって実行されると、請求項１〜１３のいずれか一項に記載の充電制御方法を実行する
ことを特徴とするコンピュータ記憶媒体。
【請求項１７】
少なくとも請求項１４に記載の充電制御装置を含むことを特徴とする被充電機器。
【国際調査報告】
2022500990.tif 000013
2022500990.tif 000014
2022500990.tif 000015
2022500990.tif 000016